(57)【要約】【課題】セル画シートの金属層に帯電する静電気を迅速かつ確実に取り除く遊技機を提供する。【解決手段】遊技盤のベース板２１の表面には金属層Ｌ３を有するセル画シートＬが貼り付けられる。ベース板２１の盤面にはセル画シートＬを通して除電金具５０が貫入している。除電金具５０は、セル画シートＬに打ち込まれて金属層Ｌ３に接触する貫入部５８と、貫入部５８に連なって遊技盤表面に露出し、遊技盤周囲の所定のアース端子に接触する中継部５１とを備える。【選択図】図１８
2010155124.tif 000002
【特許請求の範囲】
【請求項１】
遊技盤の表面に、金属層を有するセル画シートを貼り付けてなる遊技機であって、
前記遊技盤の盤面に前記セル画シートを通して打ち込まれる除電金具を備え、
この除電金具は、
前記セル画シートに打ち込まれてその金属層に接触する貫入部と、
前記貫入部に連なって前記遊技盤表面に露出し、前記遊技盤周囲の所定のアース端子に接触する中継部とを備えたことを特徴とする遊技機。
【発明の詳細な説明】
【技術分野】
【０００１】
本発明は、遊技機に関するもので、詳しくは、遊技盤の装飾シート（セル画シート）の除電構造に関するものである。
【背景技術】
【０００２】
一般に、パチンコ機等の遊技盤は、ベニア板等からなる盤面にセル画シートが貼られている。セル画シートは、透明フィルムに印刷された画により遊技盤面を装飾するもので、その中には金属光沢を有するセル画シートがある。そのようなセル画シートは、例えば、ＰＥＴ（ポリエチレンテレフタレート）、キャブロイドなどの透明フィルムに装飾用の図柄を印刷し、これにアルミ箔（金属層）を貼り付け、さらに、この金属層に接着剤で裏打ち紙を貼り付けて形成されている。そして、このような金属層による光の反射によって、印刷された図柄や背景にメタリックな風合いが加味され、遊技領域に独特の趣を醸し出す。
なお、関連する先行技術としては、下記の特許文献１，２等が開示されている。
【先行技術文献】
【特許文献】
【０００３】
【特許文献１】特開平１０−９９４９１号公報
【特許文献２】特開２００２−１９１７７３号公報
【発明の概要】
【発明が解決しようとする課題】
【０００４】
ところが、このようなセル画シートは、遊技時にその金属層に静電気を帯びやすく、これが原因で遊技球が役物や釘等に接触した際にスパークし、各種制御装置の誤動作を招く電磁波ノイズを引き起こしやすい。
本発明は、このような現状に鑑みなされたものであり、セル画シートの金属層に帯電する静電気を迅速かつ確実に取り除けるようにした遊技機を提供することを目的としている。
【課題を解決するための手段】
【０００５】
［第１発明］
本発明（第１発明）の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、
前記セル画シートに打ち込まれてその金属層に接触する貫入部と、
前記貫入部に連なって前記遊技盤表面に露出し、前記遊技盤周囲の所定のアース端子に接触する中継部とを備えたことを特徴としている。
【０００６】
本発明（第１発明）の遊技機によれば、遊技盤の表面に除電金具を打ち込むと、その貫入部がセル画シートを貫いてシート内部の金属層に接触する。一方、除電金具の中継部は、遊技機に設置される既存のアース端子（例えばガラス枠の骨格鉄板）に接触する。これにより、セル画シートの金属層が除電金具を介してアースされることになり、金属層に静電気が発生しても、直ちにその電荷を外部へ逃がすことが可能になる。
なお、前記除電金具の貫入部と中継部は、一体であっても別体であってもよい。例えば、貫入部と中継部とを板金で一体形成する構成の他、中継部が板金であり、貫入部がスクリューネジ等である構成も含む。
【０００７】
［第２発明］
本発明（第２発明）の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、前記セル画シートに打ち込まれてその金属層に接触する貫入部を有しており、かつ、この前記貫入部が板刃であることを特徴としている。
【０００８】
前記の先行技術によれば、セル画シートの導電層に通電する手段として、遊技盤に打ち込む釘（障害釘、レール固定釘）やスクリューネジなどの金属部材を利用する。セル画シートの導電層にこれらの金属部材を貫通させ、除電用の導電通路を確保している。
【０００９】
しかしながら、セル画シートに釘やネジなどの金属部材を貫通させる構成では、セル画シートの金属層に金属部材が接触しにくいことがある。例えば、釘打ちの場合、セル画シートを通して釘を盤面に打ち込むと、釘の径が比較的大きいため、セル画シートの釘穴周辺で、不良導体である表面の透明フィルム層が下方に押し込まれ、釘周面の多くが透明フィルム層によって覆われて釘周面と金属層との接触が妨げられやすい。また、ネジ込みの場合には、ネジを回すときにネジ溝に不良導体である透明フィルム層の削り屑が生じて金属層とネジとの接触が妨げられる場合がある。
従って、このような従来の金属部材では、セル画シートの金属層と金属部材との接触による導電通路の確保が不十分になることがある。
【００１０】
本発明（第２発明）によれば、セル画シートに板刃状の除電金具を打ち込むため、セル画シートがその刃先で分断され、下方に押し込まれた透明フィルム層が周面を覆ったり、削り屑が生じることがなく、板刃側面が金属層に接触しやすくなる。また、板刃と金属層との接触面積が大きくなるため、広い導電通路を確保することができる。
なお、第２発明において、前記板刃には、鋸切り刃、ナイフ刃の他、弧状または筒状の刃も含む。
【００１１】
［第３発明］
本発明（第３発明）の遊技機は、前記遊技盤に前記除電金具を固定するためのネジを有するものであり、前記除電金具のネジ穴の穴面に沿って鋸歯状の前記板刃が設けられることを特徴としている。
【００１２】
このような構成によれば、遊技盤に除電金具を固定する際、除電金具のネジ穴を通して遊技盤にネジを締め付けると、このネジによって除電金具が遊技盤面に押さえつけられ、鋸歯状の板刃がセル画シートを貫通して遊技盤に差し込まれる。この結果、簡単な作業で確実にセル画シートの金属層と除電金具との導電通路を確保することができる。
【００１３】
［第４発明］
遊技盤に除電金具を固定する手段としては、スクリューネジが最も簡易で確実な手段である。設計上等の理由から、前述したような板刃を除電金具に設けることができない場合には、スクリューネジを除電金具の貫入部として用いることが好ましくなる。例えば、除電金具の板金部分を中継部とし、この中継部に設けたネジ穴にスクリューネジを通す構成である。
【００１４】
しかしながら、除電金具のネジ穴にスクリューネジを通す場合、ネジ穴の穴縁とスクリューネジのネジ側面との接触が不十分になり、導電通路が断たれることがある。例えば、ネジ穴の穴径（内径）をスクリューネジのネジ山径（外径）よりも若干小さくし、ネジ穴の穴縁にスクリューネジのネジ山を接触させようとすると、ネジ穴にスクリューネジをねじ込むときに、ネジ山が削られて、逆に両者の電気的な接続が断たれやすくなる。
【００１５】
上記の不具合を解消するため、ネジ穴の穴縁に予めタップを切っておく方法が考えられるが、このようなタップ切りの加工をするには専用の機械が必要で作業工程も増え、製造コストが嵩みやすくなる。
そこで、本発明では、上記のような問題点を解決するため、次のような遊技機の構成を採用することとした。
【００１６】
本発明（第４発明）の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、
前記セル画シートに打ち込まれてその金属層に接触する貫入部と、
前記貫入部に連なって前記遊技盤表面に露出し、前記遊技盤周囲の所定のアース端子に接触する中継部とを備え、
前記中継部が板金で形成され、かつ、前記貫入部が前記板金のネジ穴に通されるスクリューネジで形成されており、
しかも、前記板金のネジ穴は、スクリューネジのネジ山径よりも大きなネジ穴径を有し、その穴縁には、前記スクリューネジのネジ溝面に弾性変形しつつ接触可能な舌板が延びている構成とした。
【００１７】
このような構成によれば、スクリューネジをネジ穴にねじ込む際、舌板がネジ溝にくい込むように弾性変形しながらネジ溝面（螺旋状傾斜面）に当たる。すなわち、この舌板に案内されるようにスクリューネジがネジ穴にねじ込まれることになる。この結果、スクリューネジのネジ山がネジ穴の穴縁で削られることがなくなる。
また、舌板がネジ溝面に弾性変形しながら接触することで、スクリューネジ（貫入部）と板金（中継部）との電気的な接触も確実に確保することができる。
【００１８】
［第５発明］
本発明（第５発明）の遊技機は、第４発明の遊技機であって、前記舌板が、前記ネジ穴の内周方向の等間隔位置に２個以上設けられることを特徴としている。
【００１９】
このような構成によれば、ネジ穴の中心付近にスクリューネジを舌板で囲むように支持することができるため、板金に対しスクリューネジの軸を真っ直ぐに保ちやすくなる。この結果、スクリューネジの締め付け作業を行いやすくすることができる。
舌板の具体的な配置としては、例えばネジ穴の内周に沿って１８０゜間隔で２個、１２０゜間隔で３個、９０゜間隔で４個、６０゜間隔で６個、４５゜間隔で８個等を採用することができる。
【００２０】
［第６発明］
本発明（第６発明）の遊技機は、第４発明の遊技機であって、前記舌板は、その穴縁の立ち上がり付近から舌板先端にかけて曲線の外形線をなすように形成されることを特徴としている。
【００２１】
このような構成によれば、舌板を含むネジ穴形状に角になる箇所がなくなるため、板金にネジ穴を打ち抜き加工しやすくなる。また、舌板が弾性変形するときに、特定の箇所に応力が集中しにくくなり、舌板の曲げ強度を高めやすくなる。
【００２２】
［第７発明］
本発明（第７発明）の遊技機は、前記除電金具が遊技盤の金属レールに接触するものであることを特徴としている。
【００２３】
このような構成によれば、セル画シートの金属層と、遊技盤の金属レールとの間に除電金具を介して導電通路が形成される。これにより、セル画シートの金属層に溜まった静電気を効率よく除電することができる。
【００２４】
［第８発明］
本発明（第８発明）の遊技機は、前記遊技機の前面側に開閉するガラス枠のアース端子に、前記除電金具を接触させる遊技機であって、
前記除電金具は、その屈曲面を弾性変形させて前記アース端子に接触させることを特徴としている。
【００２５】
このような構成によれば、ガラス枠の閉鎖時に除電金具とガラス枠のアース端子との間に良好な接触状態を保つことができる。すなわち、ガラス枠の開放時は、遊技盤からアース端子が離れ、除電金具とアース端子とは遮断される。一方、ガラス枠が閉じられると、アース端子が除電金具を加圧し、その屈曲面を弾性変形させる。これにより、屈曲面がアース端子に密着し、接触状態を安定させることができる。
【００２６】
［第９発明］
本発明（第９発明）の遊技機は、前記除電金具が金属製の帯板材を折り曲げて形成されるものであることを特徴としている。
【００２７】
このような構成によれば、金属製の帯板材の簡単な加工で除電金具を製造することができ、遊技機の製造コストを抑えることができる。また、狭いスペースであっても除電金具を取り付けやすく、遊技盤上で除電金具が他の構成部品の邪魔になりにくい。
【００２８】
［第１〜９発明］
本発明（第１〜９発明）は、金属層を有するセル画シートを遊技盤面に貼る構成の各種遊技機に適用することができる。例えば、パチンコ機、アレンジボール機、雀球遊技機等の遊技機に適用すると効果的である。
本発明（第１〜９発明）は、必要に応じて単独で適用してもよいし、各発明を組み合わせて適用してもよい。また、本明細書に記載される他の発明を組み合わせてもよい。
【図面の簡単な説明】
【００２９】
【図１】本発明の実施形態による遊技機を示す斜視図である。
【図２】同遊技機の遊技盤を示す斜視図である。
【図３】本発明の実施形態によるレールユニットを示す正面図である。
【図４】同レールユニットの外レールユニットを示す正面図である。
【図５】同レールユニットの外レールユニットを示す背面図である。
【図６】同レールユニットの外レールユニットを示す背面斜視図である。
【図７】同レールユニットの中間レールユニットおよび内レールユニットを示す正面図である。
【図８】同レールユニットの中間レールユニットおよび内レールユニットを示す背面図である。
【図９】同レールユニットの中間レールユニットおよび内レールユニットを示す斜視図である。
【図１０】同レールユニットの中間レールユニットおよび内レールユニットを示す側面図である。
【図１１】同レールユニットの図５および図６に示す［Ｚ］部分の拡大図である。
【図１２】図１１に示す［１２］−［１２］線断面図である。
【図１３】本発明の第１実施形態による除電金具を示す斜視図である。
【図１４】同除電金具の側面図である。
【図１５】同除電金具の板刃を示す部分拡大断面図である。
【図１６】同除電金具の取付状態を示すもので、（Ａ）は部分拡大平面図、（Ｂ）は部分拡大断面図である。
【図１７】同除電金具と案内レールとの接触状態を示す部分拡大平面図である。
【図１８】同除電金具の板刃の作用を説明するための拡大模式断面図である。
【図１９】本発明の第２実施形態による除電金具を示す斜視図である。
【図２０】同除電金具を示すもので、（Ａ）は側面図、（Ｂ）は底面図である。
【図２１】同第２実施形態によるレールユニットの図５および図６に示す［Ｚ］部分の拡大図である。
【図２２】図２１に示す［２２］−［２２］線断面図である。
【図２３】同除電金具の取付状態を示すもので、（Ａ）は部分拡大平面図、（Ｂ）は部分拡大側面図である。
【図２４】同除電金具と案内レールとの接触状態を示す部分拡大平面図である。
【図２５】同除電金具のネジ穴と固定ネジのネジ径との関係を説明するための部分拡大平面図である。
【図２６】同除電金具の取付状態を示す断面図である。
【図２７】同除電金具の舌板の作用を説明するための拡大模式断面図である。
【図２８】第２実施形態の同除電金具の変形例を示すもので、ネジ穴と固定ネジのネジ径との関係を説明するための部分拡大平面図である。
【図２９】第２実施形態の同除電金具の他の変形例を示す斜視図である。
【図３０】本発明の実施形態による遊技盤を示す背面図である。
【図３１】同遊技盤の背面斜視図である。
【図３２】同遊技盤のレールユニットと集合樋との共締め構造を示す部分拡大断面図である。
【図３３】本発明の実施形態による遊技盤の外レール始端付近を示す部分拡大正面図である。
【図３４】同遊技盤の外レールの保護カバーを示す正面図である。
【図３５】同保護カバーの斜視図である。
【図３６】同保護カバーの取付部分の構成を示す斜視図である。
【図３７】同保護カバーの作用説明図である。
【図３８】本発明の実施形態による遊技盤側のコネクタを示す断面図である。
【図３９】同遊技盤側のコネクタを取り外した状態を示す断面図である。
【図４０】本発明の実施形態による遊技機の遊技盤を取り外した状態を示す斜視図である。
【図４１】同遊技盤の平面図である。
【図４２】同遊技盤のコーナ飾りを示す部分拡大斜視図である。
【図４３】同コーナ飾りの作用を説明するための模式断面図である。
【図４４】本発明の実施形態によるレールユニットを重ね合わせた状態を示す模式断面図である。
【図４５】同レールユニットの中間レールユニットおよび内レールユニットの連結部分の構成を示す拡大平面図である。
【図４６】同レールユニットの中間レールユニットおよび内レールユニットの連結部分の作用を説明するための拡大平面図である。
【図４７】同レールユニットの中間レールユニットと内レールユニットとを折り畳んだ状態を示す平面図である。
【図４８】同レールユニットの中間レールユニットと内レールユニットとの連結部分の構成を示す平面図である。
【図４９】同レールユニットの中間レールユニットと内レールユニットとの連結部分の作用を説明するための平面図である。
【発明を実施するための形態】
【００３０】
以下、本発明の実施の形態を図面に基づいて説明する。本実施形態は、パチンコ機に本発明を適用したものである。最初に、板刃タイプの除電金具を採用した第１実施形態を説明し、その説明の後で舌板タイプの除電金具を採用した第２実施形態を説明する。
［第１実施形態］
図１に示すように、遊技機１０は、外枠１２に本体枠１３およびガラス枠１４が取り付けられる。本体枠１３に形成された開口の前部には遊技盤装着枠部９３（図４０参照）が設けられ、この遊技盤装着枠部９３に遊技盤１５が脱着可能に取り付けられている。本体枠１３とガラス枠１４とはヒンジ１６により遊技機１０の正面側に開閉するようになっている。
【００３１】
遊技盤１５の下方には遊技球の発射用のハンドル１７が設けられる。ハンドル１７を操作すると、遊技球が発射レール１８に打ち出され、外レール１５ａと内レール１５ｂとの間の誘導通路を通って遊技盤１５の遊技領域Ｐに放出される。
【００３２】
図２に示すように、遊技領域Ｐには、遊技球の落下方向を規制する誘導釘（図示省略）が設けられ、これらの誘導釘の間に抽選図柄を表示する図柄表示装置３０、抽選図柄表示を開始させる始動口２７、一般入賞口２８、大当たり時に開閉して遊技球の入賞を促すアタッカ装置２９等が配置されている（図２参照）。
【００３３】
遊技盤１５は、ベニヤ等の板材からなるベース板２１と、プラスチック成形材からなるレールユニット２２とを備えている。遊技盤１５の盤面のうちレールユニット２２に囲まれる部分に遊技領域Ｐが仕切られる。遊技領域Ｐの盤面には、セル画シートが貼られており、そのシート面に図柄、文字、キャラクター、背景などの遊技を盛り上げる装飾印刷が施されている。遊技者は、ガラス枠１４（図１参照）を通して係る印刷面を見ることになる。
【００３４】
レールユニット２２は、外レールユニット２２Ａ、中間レールユニット２２Ｂ、および内レールユニット２２Ｃからなる。これらのうちレールユニット２２Ａ、２２Ｂの遊技領域Ｐの外側には、ベース板１２の四隅部を覆うコーナ飾りが一体形成されている。
【００３５】
外レールユニット２２Ａは、外レール始端付近から遊技盤１５の左側端部を通って遊技盤１５の上端部に達し、外レール終端付近まで延びる。中間レールユニット２２Ｂは、外レール終端付近から遊技盤１５の右側端部を通って下方に延び、遊技盤１５の下部中央付近まで延びる。そして、内レールユニット２２Ｃは、遊技盤１５の下部中央付近から外レールユニット２２Ａの内側面に沿って上方に延びる。
図３に示すように、外レールユニット２２Ａと中間レールユニット２２Ｂとは、連結ピン２５で連結されており、一方、中間レールユニット２２Ｂと内レールユニット２２Ｃとは、連結ネジ２６で連結されている。
【００３６】
図５および図６に示すように、外レールユニット２２Ａの裏面には、固定ネジを通すボス３１ａ〜３１ｆと、圧入ピン３２ａ〜３２ｄとが所定の間隔を保って形成される。
一方、図８〜図１０に示すように、中間レールユニット２２Ｂと内レールユニット２２Ｃの裏面には、固定ネジを通すボス３１ｇ〜３１ｉと、圧入ピン３２ｅ〜３２ｈとが所定の間隔を保って形成されている。
各レールユニット２２Ａ〜２２Ｃとベース板２１との取り付けは、これらのボス３１ａ〜３１ｉおよび圧入ピン３２ａ〜３２ｈを、予めベース板２１に形成された固定穴に位置合わせし、固定ネジおよび圧入ピン３２ａ〜３２ｈで止めることにより行われる。
【００３７】
図５に示すように、外レールユニット２２Ａのレール長さ方向には、その内周面に沿って金属製の案内レールＲが取り付けられる。案内レールＲのレール面に遊技球が転がり、外レールユニット２２Ａの内周面は遊技球に直接触れることがない。
なお、このような金属製の案内レールＲは、外レールユニット２２Ａのみに採用され、中間レールユニット２２Ｂおよび内レールユニット２２Ｃには採用されない。すなわち、通常の遊技状態では、中間レールユニット２２Ｂおよび内レールユニット２２Ｃのレール面は遊技球の接触する頻度が少ないため、これらのユニット２２Ｂおよび２２Ｃでは、遊技領域Ｐを仕切る樹脂成形面（内周面）がそのまま遊技球のレール面として用いられる。
【００３８】
外レールユニット２２Ａの裏面側であって、図５および図６［Ｚ］部分に示す外レール終端部の拡大図を図１１（Ａ）および（Ｂ）に示した。
図１１（Ａ）に示すように、外レール終端付近の裏面は、除電金具５０を取り付けるための台座４０になっており、この台座４０に除電金具５０が所定の向きにセットされる。台座４０とベース板２１との間に除電金具５０がセル画シートと接触した状態で挟まれることになる。
【００３９】
図１２に示すように、台座４０は、ユニット前面パネル４１に立ち上げられたボス３１ａ、仕切壁４４、４５、４６等から構成される。ボス３１ａは、外レール終端付近でベース板２１に外レールユニット２１Ａをネジ固定するためのボスである。
ボス３１ａおよび仕切壁４４、４５、４６は、図１２で上端面が均一の高さに統一されており、これらの端面で除電金具５０を支持するようになっている。
【００４０】
台座４０においてボス３１ａの両側には一対の支持ピン４８が形成される（図１１参照）。これらの支持ピン４８の先端は、ボス３１ａの上端面（除電金具５０の支持面）よりの高い位置まで突出し、支持ピン４８，４８間で除電金具５０を挟めるようになっている。
【００４１】
ユニット側面パネル４２と仕切壁４４との間には、後述する除電金具５０の凸折り部（屈曲面）の収納スペースが設けられる。この収納スペースは、ユニット前面パネル４１に開口する小窓Ｗ（図１２参照）により遊技盤１５の前面側に開放されている。
【００４２】
図１３および図１４に示すように、除電金具５０は、金属製の帯板を折り曲げて形成される板金で、その平板部５１の一端に斜め折り部５２を有し、他端に縦折り部５３および横折り部５４が連なっている。横折り部５４のほぼ中間位置には断面Ｕ字形の凸折り部５５が設けられる。
【００４３】
平板部５１にはネジ穴Ｈ１が形成される。ネジ穴Ｈ１は、台座４０に除電金具５０をセットしたときにボス３１ａのネジ穴Ｈ２と重なる位置にある（図１２参照）。すなわち、これらのネジ穴Ｈ１およびＨ２に同時に固定ネジを通せるようになっている。
【００４４】
ネジ穴Ｈ１の穴縁には、その穴面に沿って周方向に鋸歯状の板刃５８が連なっている。図１５に示すように、板刃５８の板面は、ささくれ状になってネジ穴Ｈ１の外側（ネジ穴軸方向）に向いており、その先端は鋸歯状に分断され、鋭角の刃先が環状に並ぶ。なお、このようなささくれ状の板刃３１ａは、例えば平板部５１の板面に先端十字形の穴あけ工具等を突き刺すことで形成することができる。
【００４５】
平板部５１のネジ穴Ｈ１を挟んだ両側端には円弧溝Ｋ１およびＫ２が形成される。図１６に示すように、これらの円弧溝Ｋ１とＫ２との距離は、前述の支持ピン４８，４８の間の距離にほぼ等しい。この結果、支持ピン４８，４８の間に円弧溝Ｋ１とＫ２を合わせることで、台座４０に除電金具５０を仮止めすることができる。また、仮止めによってボス３１ａのネジ穴Ｈ２と、平板部５１のネジ穴Ｈ１とを簡単に位置合わせすることができる。
【００４６】
図１７に示すように、斜め折り部５２は、除電金具５０の長さ方向に対しほぼ４５゜の角度で折り曲げられる。斜め折り部５２の外側面には、ドーム形の凸部５２ａが形成されている。台座４０に除電金具５０をセットすると、仕切壁４６と案内レールＲとの間の隙間に斜め折り部５２が収まり、凸部５２ａが案内レールＲに接触する。すなわち、この凸部５２ａと案内レールＲとの接触により、案内レールＲと除電金具５０との導電通路が確保されることになる。
【００４７】
縦折り部５３および横折り部５４は、平板部５１に対してそれぞれほぼ垂直および平行な折り曲げ角をなしている。縦折り部５３の長さは、ユニット側面パネル４２と仕切壁４４との間の収納スペースの深さにほぼ一致する。この結果、図１２に示すように、収納スペースの底位置まで縦折り部５３を挿入することができ、このとき、横折り部５４の板面が収納スペースの底面（ユニット前面パネル４１の裏面）に重なる。
【００４８】
縦折り部５３および横折り部５４のそれぞれの折曲線付近には、矩形の貫通穴Ｓ１、Ｓ２が形成される（図１３参照）。これらの貫通穴Ｓ１、Ｓ２は、除電金具５０の板面の歪みを吸収する役割を果たす。
また、貫通孔Ｓ１は、図１２に示すように、仕切壁４４の突起４４ａに嵌まり、台座４０への除電金具５０の取付状態を安定させる。
【００４９】
凸折り部５５は、横折り部５４の板面にほぼ垂直に立ち上げられており、台座４０に除電金具５０をセットしたとき、その凸折り部５５がユニット前面パネル４１の小窓Ｗに嵌る（図１２参照）。遊技盤１５の正面からレールユニット２２のレール終端付近を見ると、ユニット前面に凸折り部５５が突出した状態となる（図１および図２参照）。
【００５０】
図１に示すように、ガラス枠１４の背面側には、フレーム骨格となる鉄板が露出しており、この鉄板の一部を折り曲げて舌片状のアース端子５９が形成される。アース端子５９は、ガラス枠１４のフレーム骨格（金属部）を含む遊技機１０の既存のアース配線によって接地される。図１に示す遊技機１０の開放状態から、ガラス枠１４を本体枠１３側に閉じると、アース端子５９が除電金具５０の凸折り部５５に接触し、除電金具５０がアース配線に接続される。
【００５１】
除電金具５０とアース端子５９との接触は、ガラス枠の閉鎖時にアース端子５９に凸折り部５５が押されて撓むことによって行われる。このため、アース端子５９の金属面に凸折り部５５の屈曲面が弾性変形して密着する格好となり、その接触状態が良好に保たれる。
【００５２】
次に、除電金具５０による静電気の除電作用について説明する。
ベース板２１にレールユニット２２を固定する場合、台座部４０に除電金具５０をセットし、ボス３１ａにネジを通してベース板２１に締め込むと、図１８に示すように、ネジＮによってレールユニット２２全体がベース板２１に向かって押し付けられ、同時にボス３１ａとベース板２１との間に挟まれた除電金具５０の板刃５８がセル画シートＬを突き破ってベース板２１に刺さる。そして、板刃５８の側面がセル画シートＬの金属層Ｌ３に接触し、金属層Ｌ３をアースすることになる。なお、図１８に示すセル画シートＬにおいて、最下層Ｌ１は裏打ち紙層、第２層Ｌ２は接着材層、第３層Ｌ３はアルミ箔等の金属層、第４層Ｌ４はインク層、最上層Ｌ５（表面層）は透明フィルム層を示している。
【００５３】
このように遊技機１０によれば、セル画シートＬの金属層Ｌ３が板刃５８を介して除電金具５０に接触し、アースされるまでの経路を形成するため、金属層Ｌ３に静電気が帯電しても、除電金具５０から前述のアース端子を通して静電気が直ちに外部に放出される。この結果、遊技機１０に静電気による電磁波ノイズが発生しにくく、制御装置等の誤動作を未然に防止することができる。
【００５４】
また、遊技機１０は、板刃５８の刃先でセル画シートＬを分断して除電金具５０と金属層Ｌ３と接触させるため、セル画シートＬの各層が板刃５８と一緒にベース板２１の下方に押し込まれにくい。これにより、除電金具５０と金属層Ｌ３とが他の層に邪魔されることなく確実に接触し、導電通路の信頼性が高まる。
【００５５】
また、除電金具５０のネジ穴Ｈの穴面に沿って板刃５８を立ち上げているので、除電金具５０をネジＮで固定する際に同時に板刃５８をセル画シートＬに差し込むことができ、除電金具５０の取り付けの手間も少ない。
【００５６】
また、前述したように、除電金具５０はその斜め折り部５２で金属製の案内レールＲとも接触しているので、例えば発射球が帯電しているような場合に案内レールＲが静電気を帯びても、このような静電気を同時に除去することができる。
さらに、除電金具５０は、帯板材を折り曲げて形成する簡単な構成であるため、製造コストも比較的少なくて済む。
【００５７】
以上、板刃タイプの除電金具を採用する実施形態を説明したが、本発明の実施形態はこれに限定されることなく、必要に応じて、その構成の変更を伴ってもよい。例えば前記実施形態では除電金具５０を外レールユニット２２Ａに取り付けているが、これに代えて、中間レールユニット２２Ｂや内レールユニット２２Ｃに取り付けるようにしてもよい。また、除電金具５０の板刃５８は、ネジ穴Ｈ１の穴面に沿って環状に複数並んでいるが、これらは必ずしも全て設ける必要はなく、歯抜け状の板刃にしたり、歯無しの筒状板刃の構成にしてもよい。また、除電金具５０の板刃は、筒状に限定されるものではなく、平板状であってもよい。
【００５８】
［第２実施形態］
次に、板刃タイプの除電金具を採用する遊技機の実施形態を説明する。
このタイプの遊技機は、前述の除電金具５０に代えて、図１９および図２０に示す除電金具１２０を用いたものである。この除電金具１２０の中央のネジ孔Ｈ１に金属製の固定ネジ（スクリューネジ）を通してセル画シートのアース経路を確保する。
【００５９】
遊技機の基本構成は、前述の第１実施形態の構成（図１〜図１０参照）と実質的に同一であるので、レールユニット等の各構成部分の説明は、第１実施形態の説明に準ずる。
【００６０】
第２実施形態において、外レールユニット２２Ａの裏面側であって、図５および図６［Ｚ］部分に示す外レール終端部の拡大図を図２１（Ａ）および（Ｂ）に示した。
図２１（Ａ）および（Ｂ）に示すように、外レール終端付近の裏面は、除電金具１２０を取り付けるための台座４０になっており、この台座４０に除電金具１２０が所定の向きにセットされる。台座４０とベース板２１との間に除電金具１２０がセル画シートと接触した状態で挟まれることになる。
【００６１】
図２２に示すように、台座４０は、ユニット前面パネル４１に立ち上げられたボス３１ａ、仕切壁４４、４５、４６等から構成される。ボス３１ａは、外レール終端付近でベース板２１に外レールユニット２１Ａをネジ固定するためのボスである。
ボス３１ａおよび仕切壁４４、４５、４６は、図２２で上端面が均一の高さに統一されており、これらの端面で除電金具１２０を支持するようになっている。
【００６２】
台座４０のボス３１ａの両側には一対の支持ピン４８が形成される（図２３参照）。これらの支持ピン４８の先端は、ボス３１ａの上端面（除電金具１２０の支持面）よりの高い位置まで突出し、支持ピン４８間で除電金具１２０を挟めるようになっている。
【００６３】
ユニット側面パネル４２と仕切壁４４との間には、後述する除電金具１２０の凸折り部（屈曲面）の収納スペースが設けられる。この収納スペースは、ユニット前面パネル４１に開口する小窓Ｗ（図２２参照）により遊技盤１５の前面側に開放されている。
【００６４】
図１９および図２０に示すように、除電金具１２０は、金属製の帯板を折り曲げて形成される板金で、その平板部１２１の一端に斜め折り部１２２を有し、他端に縦折り部１２３および横折り部１２４が連なっている。横折り部１２４のほぼ中間位置には断面Ｕ字形の凸折り部１２５が設けられる。
【００６５】
平板部１２１にはネジ穴Ｈ１が形成される。ネジ穴Ｈ１は、台座４０に除電金具５０をセットしたときにボス３１ａのネジ穴Ｈ２と重なる位置にある（図２２参照）。すなわち、これらのネジ穴Ｈ１およびＨ２に同時に固定ネジ（スクリューネジ）を通せるようになっている。
【００６６】
ネジ穴Ｈ１の穴縁には、舌板１２８，１２８が突出している。舌板１２８，１２８は、ネジ穴Ｈ１の内周１８０゜間隔で配置され、直径方向に向き合って穴中心に向かって延びる。舌板１２８，１２８の板面は、平板部１２１の板面に連なっており、その先端がネジ穴Ｈ１の上下に振れるように撓む。すなわち、舌板１２８，１２８の板面は、後述するように、固定ネジ（スクリューネジ）のネジ溝面に沿って弾性変形するようになっている。なお、このような舌板１２８，１２８は、例えば板金の打ち抜き加工等で形成することができる。
【００６７】
図２５に除電金具１２０の固定ネジ（スクリューネジ）Ｎとネジ穴Ｈ１と大きさの関係を示した。図２５において、固定ネジＮの一点鎖線は、ネジ頭の外形を示し、Ｎ１はネジ溝、Ｎ２はネジ山を示している。
ネジ穴Ｈ１のネジ穴径Ｄ１は、固定ネジＮのネジ山Ｎ１のネジ山径よりも十分に大きい。これにより、ネジ穴Ｈ１に固定ネジＮをねじ込むときに、ネジ山Ｎ２がネジ穴Ｈ１の穴縁を押し広げるように当たることはない。
一方、舌板１２８，１２８の先端間の距離Ｄ２は、固定ネジＮのネジ溝Ｎ１の外径よりも小さい。これにより、ネジ穴Ｈ１に固定ネジＮをねじ込むと、舌板１２８，１２８が撓んでネジ溝Ｎ１の溝面に接触することになる。
【００６８】
図２５に示すように、舌板１２８，１２８の穴縁の立ち上がり付近から先端にけけては、曲線の外形線をなすように形成されている。このようにネジ穴Ｈ１の穴形状に角になる箇所を設けないことで、ネジ穴Ｈ１の打ち抜き加工が行いやすくなる。また、舌板１２８，１２８がネジ穴Ｈ１の上下に撓んでも、特定の箇所に応力が集中しにくくなり、板面強度を高く保ちやすくなる。
【００６９】
平板部１２１のネジ穴Ｈ１を挟んだ両側端には円弧溝Ｋ１およびＫ２が形成される。これらの円弧溝Ｋ１とＫ２との距離は、前述の支持ピン４８，４８の間の距離にほぼ等しい（図２３参照）。この結果、支持ピン４８，４８の間に円弧溝Ｋ１とＫ２を合わせることで、台座４０に除電金具１２０を仮止めすることができる。また、仮止めによってボス３１ａのネジ穴Ｈ２と、平板部５１のネジ穴Ｈ１とを簡単に位置合わせすることができる。なお、このような円弧溝Ｋ１およびＫ２は、必要に応じて省略することも可能である。
【００７０】
図２４に示すように、斜め折り部１２２は、除電金具１２０の長さ方向に対しほぼ４５゜の角度で折り曲げられる。斜め折り部１２２の先端には、反り曲げ部１２２ａが形成されている（図１９および図２０参照）。台座４０に除電金具１２０をセットすると、仕切壁４６と案内レールＲとの間の隙間に斜め折り部１２２が収まり、反り曲げ部１２２ａが案内レールＲに接触する。すなわち、この反り曲げ部１２２ａと案内レールＲとの接触により、案内レールＲと除電金具１２０との導電通路が確保されることになる。
【００７１】
縦折り部１２３および横折り部１２４は、平板部１２１に対してそれぞれほぼ垂直および平行な折り曲げ角をなしている（図１９参照）。縦折り部１２３の長さは、ユニット側面パネル４２と仕切壁４４との間の収納スペースの深さにほぼ一致する。この結果、図２２に示すように、収納スペースの底位置まで縦折り部１２３を挿入することができ、このとき、横折り部１２４の板面が収納スペースの底面（ユニット前面パネル４１の裏面）に重なる。
【００７２】
縦折り部１２３および横折り部１２４のそれぞれの折曲線付近には、矩形の貫通穴Ｓ１、Ｓ２が形成される（図１９参照）。これらの貫通穴Ｓ１、Ｓ２は、除電金具１２０の板面の歪みを吸収する役割を果たす。
また、貫通孔Ｓ１は、図２２に示すように、仕切壁４４の突起４４ａに嵌まり、台座４０への除電金具１２０の取付状態を安定させる。
【００７３】
凸折り部１２５は、横折り部１２４の板面にほぼ垂直に立ち上げられており、台座４０に除電金具１２０をセットしたとき、その凸折り部１２５がユニット前面パネル４１の小窓Ｗに嵌る（図２２参照）。遊技盤１５の正面からレールユニット２２のレール終端付近を見ると、ユニット前面に凸折り部１２５が突出した状態となる（図１および図２参照）。
【００７４】
図１に示すように、ガラス枠１４の背面側には、フレーム骨格となる鉄板が露出しており、この鉄板の一部を折り曲げて舌片状のアース端子５９が形成される。アース端子５９は、ガラス枠１４のフレーム骨格（金属部）を含む遊技機１０の既存のアース配線によって接地される。図１に示す遊技機１０の開放状態から、ガラス枠１４を本体枠１３側に閉じると、アース端子５９が除電金具１２０の凸折り部１２５に接触し、除電金具１２０がアース配線に接続される。
【００７５】
除電金具１２０とアース端子５９との接触は、ガラス枠の閉鎖時にアース端子５９に凸折り部１２５が押されて撓むことによって行われる。このため、アース端子５９の金属面に凸折り部１２５の屈曲面が弾性変形して密着する格好となり、その接触状態が良好に保たれる。
【００７６】
次に、除電金具１２０による静電気の除電作用について説明する。
ベース板２１にレールユニット２２を固定する場合、図２６に示すように、台座部４０に除電金具１２０をセットし、ボス３１ａに金属製の固定ネジＮを通してベース板２１に締め付ける。すると、固定ネジＮがセル画シートＬを突き破ってベース板２１にくい込み、図２７に示すように、セル画シートＬの金属層Ｌ３に接触する。このとき同時に、固定ネジＮが舌板１２８，１２８を介して除電金具１２０（ネジ穴Ｈ１）の穴縁に接触するため、固定ネジＮと除電金具１２０をを通して金属層Ｌ３がアースされることになる。なお、図２７に示すセル画シートＬにおいて、最下層Ｌ１は裏打ち紙層、第２層Ｌ２は接着材層、第３層Ｌ３はアルミ箔等の金属層、第４層Ｌ４はインク層、最上層Ｌ５（表面層）は透明フィルム層を示している。
【００７７】
このように本実施形態の遊技機１０によれば、セル画シートＬの金属層Ｌ３が固定ネジＮを介して除電金具１２０に接触し、アースされるまでの経路を形成するため、金属層Ｌ３に静電気が帯電しても、除電金具１２０から前述のアース端子を通して静電気が直ちに外部に放出される。この結果、遊技機１０に静電気による電磁波ノイズが発生しにくく、制御装置等の誤動作を未然に防止することができる。
【００７８】
また、除電金具１２０のネジ穴Ｈ１に固定ネジＮをねじ込む際に、舌板１２８，１２８が弾性変形しながらネジ溝の傾斜面に接触するため、ネジ穴Ｈ１の穴縁によって固定ネジＮのネジ山が削られるようなことはなく、除電金具１２０と固定ネジＮとの電気的な接続を確実に確保することができる。
また、ネジ溝に舌板１２８，１２８が嵌った状態で固定ネジＮが下方（締め付け方向）へ送られるため空回りもしにくい。
【００７９】
さらに、舌板１２８，１２８がネジ穴Ｈ１の直径方向に向き合って延びるため、固定ネジＮをネジ穴Ｈ１の中心付近に保ちやすく、そのねじ込み作業が行いやすくなる。
【００８０】
さらに、前述したように、除電金具１２０は、その斜め折り部１２２で金属製の案内レールＲとも接触しているので、例えば発射球が帯電しているような場合に案内レールＲが静電気を帯びても、このような静電気を同時に除去することができる。
さらに、除電金具１２０は、帯板材（板金）を折り曲げて形成する簡単な構成であるため、製造コストも比較的少なくて済む。
【００８１】
以上、舌板タイプの除電金具１２０による遊技機１０を説明したが、本発明の実施形態はこれに限定されることなく、必要に応じて、その構成の変更を伴ってもよい。例えば前記実施形態では除電金具１２０を外レールユニット２２Ａに取り付けているが、これに代えて、中間レールユニット２２Ｂや内レールユニット２２Ｃに取り付けるようにしてもよい。
【００８２】
また、前記実施形態では、ネジ穴Ｈ１の直径方向に向き合う対の舌板１２８，１２８を用いたが、舌板の数を必要に応じて増やすこともできる。例えば図２８に示すように、ネジ穴Ｈ１の周縁部に４５゜間隔で放射状にスリットを入れて、これらのスリットの間に舌板１２８ｓを形成してもよい。各舌板１２８ｓは、ネジ穴Ｈ１の直径方向に互いに向き合い、固定ネジＮをネジ穴Ｈ１の中心付近に保つ。
【００８３】
また、図２９に示すように、ネジ穴Ｈ１の穴縁に板刃１２８ｔ，１２８ｔと舌板１２８ｕ，１２８ｕを両方設けるようにしてもよい。板刃１２８ｔ，１２８ｔは、平板部１２１の長さ方向に向き合い、舌板１２８ｕ，１２８ｕは、平板部１２１の幅方向に向き合うように配置される。
このような構成によれば、板刃１２８ｔ，１２８ｔと舌板１２８ｕ，１２８ｕの両方にアース経路を形成することができるため、セル画シートの除電の信頼性をさらに高めることが可能になる。
【００８４】
［その他の発明］
次に、遊技機１０に採用されている他の発明について説明する。遊技機１０には、前述したセル画シートの除電構造に関する発明の他、各所に複数の発明が適用されている。
【００８５】
［他の発明１：遊技盤の共締め構造］
前記実施形態のように遊技盤１５にレールユニット２２を有するタイプの遊技機では、ベース板２１にレールユニット２２を固定するための圧入ピンの数が多くなりやすい。このため、ベース板２１にレールユニット２２を固定する際の作業工程が煩雑だったり、固定装置の大型・複雑化を招くといった問題が生じることがある。
【００８６】
一方、遊技盤の背面には、通常、遊技球を回収するための集合樋が取り付けられる。集合樋は、ベース板の背面にネジ等で固定されるのが一般的である。
【００８７】
前述したような問題点を解決するため、本発明は、レールユニットの固定手段と、集合樋の固定手段を兼用する点に着目した。
すなわち、本発明の遊技機は、ベース板の前面にレールユニット、背面に集合樋を固定する遊技盤を備えた遊技機において、  
前記ベース板の所定位置に貫通孔を形成し、前記レールユニットおよび前記集合樋をそれぞれ前記貫通孔に位置合わせしてネジで共締めする構成とした。
【００８８】
このような構成によれば、レールユニットの固定ネジと、集合樋の固定ネジとが共通化されるため、両者の固定作業を同時に行うことができ、作業工程が大幅に簡略化される。また、レールユニットを固定するための専用の圧入ピンやネジの本数を減らすことができるため、固定装置の大型・複雑化を招きにくくなる。
【００８９】
具体例を実施形態で示すと、レールユニット２２は、外レールユニット２２Ａの下部であって、その側端付近に上下に２箇所のボスＢ１（図６参照）、また、中間レールユニット２２Ｂの下部であって、その側端付近に上下に２箇所のボスＢ１が形成されている（図９および図１０参照）。
【００９０】
図３０および図３１に示すように、ベース板２１の背面下部には集合樋６１および基板ボックス６２が固定されており、このうち、集合樋６１の四隅部にボスＢ１と等しい間隔を保って４つのボスＢ２が形成されている。
【００９１】
図３２に示すように、ベース板２１の下部には、前述のボスＢおよびＢ２に一致する位置に貫通孔Ｔが形成される。
ベース板２１にレールユニット２２と集合樋６１とを固定する場合、ベース板２１を挟んで貫通孔Ｔに両者のボスＢおよびＢ２を位置合わせし、ネジ６３によって共締めする。
【００９２】
このようにベース板２１にレールユニット２２と集合樋６１とを共締めすることにより、これらの固定作業が簡略化される。また、レールユニット２２の圧入ピン３２ａ〜３２ｈ（図６、図１０参照）が比較的少ない本数で済み、ベース板２１にレールユニット２２を圧入するための固定装置の小型化が行いやすく、固定装置への位置合わせ等の作業が簡単になる。
【００９３】
［他の発明２：保護カバーの開閉機構］
遊技盤の外レール始端付近には、ファール球（落下球）と発射球とが衝突した弾みで正面ガラスに当たるのを防止するために保護カバーが設けられることがある。通常は、レール面に対し保護カバーをほぼ垂直に立てて保持し、一方、レール面を掃除するときには、保護カバーを取り外すか、または、可撓性材料からなる保護カバーを折り曲げてレール面を覗けるようにしている。
しかしながら、このような従来の保護カバーは、一旦保護カバーを取り外すと、その取り付けが面倒である。また、保護カバーを折り曲げた状態では、掃除の際に保護カバーが邪魔になりやすい。
【００９４】
前記問題点を解決するため、本発明の遊技機は、遊技盤の外レール始端付近に、レール面を覆う保護カバーを有する遊技機において、
前記保護カバーは、前記遊技盤の正面側に支軸により開閉可能に支持されており、かつ、前記保護カバーの開閉軸付近に、前記保護カバーの開閉角度を規制する係止爪を備える構成とした。
【００９５】
このような構成によれば、保護カバーが前記遊技盤の正面側に支軸によって開閉可能に支持されるため、その開閉操作を簡単に行える。また、係止爪で保護カバーの開放角度を一定に保っておくことができるため、レール面を掃除する際に、保護カバーが邪魔になりにくい。
【００９６】
具体例を本実施形態で示すと、図３３に示すように、外レールユニット２２Ａのレール始端付近に保護カバー７０が取り付けられる。保護カバー７０は、ガラス枠１４の内側であって、案内レールＲを覆う位置に取り付けられている。
【００９７】
図３４および図３５に示すように、保護カバー７０は、透明なプラスチック材料からなり、案内レールＲの弧状のレール面に沿って帯状に延びている。保護カバー７０の下端には支軸７１，７１が一体形成される。支軸７１，７１が外レールユニット２２Ａの軸受７４（図３３参照）に嵌って回動することで、保護カバー７０が遊技盤１５の正面側に開閉する。
【００９８】
保護カバー７０の下端には、２個の平行な開放スリットの間にバネ板７２が形成される。このバネ板７２の先端であって、保護カバー７０の開閉軸付近に係止爪７３が形成されている。
【００９９】
図３６は、外レールユニット２２Ａから保護カバー７０を取り外した状態を示している。外レールユニット２２Ａの保護カバー取り付け部には、保護カバー７０の支軸７１，７１と等間隔に軸受７４，７４が配置される。軸受７４，７４は、有底筒状になっており、これらの開放筒端から軸方向に支軸７１，７１をズラして挿入する。
【０１００】
軸受７４，７４の間には突起７５が形成される。外レールユニット２２Ａに保護カバー７０を取り付けると、突起７５の傾斜面が保護カバー７０の係止爪７３に当たる。
【０１０１】
通常時、図３７に示すように、係止爪７３は、その膨出部７３ａのレール面に近い端面（図３７（Ａ）で右下端面）が突起７５の傾斜面に当たって保護カバー７０をレール面に対しほぼ垂直な状態に保つ。
保護カバー７０の上端部を手で持って外側に開くと、図３７（Ｂ）に示すように、膨出部７３ａが突起７５の傾斜面を上るようにズレながら回動し、バネ板７２を撓ませる。そして、保護カバー７０が一定角度まで開くと、膨出部７３ａと突起７５との接触面が切り替わってバネ板７２の撓みが開放され、膨出部７３ａの反対側の端面（図３７（Ａ）で左下端面）が突起部７５の傾斜面に当たって、保護カバー７０の開放角度を保持する（図３７（Ｃ）参照）。
【０１０２】
このように本実施形態によれば、保護カバー７０が支軸７１により開閉自在に支持されるため、その開閉操作が簡単になる。また、保護カバー７０の開閉角度が係止爪７３で規制されるため、保護カバー７０を開けたまま片手でも容易にレール面の掃除を行うことができる。
さらに、保護カバー７０の開放角度を起立状態から９０゜未満の範囲に制限することで、保護カバー７０の閉め忘れにも対応することができる。すなわち、上記範囲では、保護カバー７０を開けたままガラス枠１４を締めても、そのガラス板で保護カバー７０が押され、バネ板７２のバネ効果により起立状態（図３７（Ａ））に戻る。この結果、遊技機のメンテナンスも安心して行える。
【０１０３】
［他の発明３：遊技盤の脱着用把手］
前記実施形態では、前述したように、遊技盤１５を本体枠１３の前方からその遊技盤装着枠部９３に装着する。このような遊技機においては、その装着操作に伴って遊技盤１５と遊技盤装着枠部９３とを互いに係合しながら、遊技盤１５側の電気接点と本体枠１３側の電気接点とを一対のコネクタで接続している。
本発明では、このような構成を備えた遊技機において、遊技盤側のコネクタの抜き差しを容易にするため、前記遊技盤の背面にコネクタを設けるとともに、この遊技盤の正面側であって前記コネクタの概ね前方位置に取っ手を設ける構成とした。
【０１０４】
このような構成によれば、遊技盤の脱着時に、取っ手を持って遊技盤を前後に動かすと、取っ手部分からコネクタに力がかかりやすい。このため、遊技機本体枠から遊技盤を脱着する際に遊技盤を安定して支持できるとともに、コネクタの抜き差しも容易に行える。
【０１０５】
具体例を実施形態で示すと、図２に示すように、遊技機１０は、遊技盤１５の下端部に取っ手８０が設けられている。レールユニット２２の下端に凹み付け、この凹みを取っ手８０としている。
図３８に示すように、取っ手８０は、横板８１と縦板８２とを備えており、横板８１の正面下方に取っ手８０の凹みの一部を覆い隠す縦板８２が延びている。縦板８２の裏側には指を掛けるための空間が形成される。
【０１０６】
図３０に示すように、遊技盤１５の背面には、集合樋６１上にコネクタ８４が設けられる。図３８に示すように、コネクタ８４には、例えば遊技盤前面の図柄表示装置３０等を制御する副制御装置のコネクタ接続配線の他端側コネクタ８５が接続される。
取っ手８０とコネクタ８４との位置関係は、コネクタ８４のベース板２１を挟んで概ね前方位置に取っ手部８０が設けられている。すなわち、取っ手８０を前後に動かしたときに、その力がコネクタ８４に作用しやすい位置関係にある。
【０１０７】
本体枠１３から遊技盤１５を取り外す場合、取っ手８０に指を掛けて遊技盤１５を支えるとともに、取っ手８０を前方に引っ張ると、その力でコネクタ８４も前方に引っ張られる。これにより、図３９に示すように、コネクタ８５から遊技盤１５のコネクタ８４が簡単に外れる。また、本体枠１３に遊技盤１５を取り付ける場合には、取っ手８０に指を掛けて遊技盤１５を支えるとともに、取っ手８０を後方に押し込むと、コネクタ８４も後方に押されて副制御装置のコネクタ８５に容易に差し込むことができる。
【０１０８】
［他の発明４：レールユニットの角取り］
前記実施形態の遊技機は、本体枠１３の開口部（遊技盤装着枠部９３）に、本体枠１３の前方から遊技盤１５を差し入れて遊技盤１５を装着する構成になっている。一方、前記実施形態の遊技機は、遊技盤１５のベース板２１にレールユニット２２の前面部を構成するコーナ飾りが一体的に設けられている。
このようにベース板にコーナ飾りが一体的に固定されると、コーナ飾りの厚みが邪魔になって本体枠の前方から遊技盤を差し入れて取り付ける作業が行いにくくなることがある。特に、遊技機のヒンジ側のコーナ飾りは、本体枠の枠面にぶつかりやすく、取り付け作業の障害となりやすい。
【０１０９】
本発明の遊技機は、本体枠の開口部に、本体枠の前方から遊技盤を差し入れて遊技盤を装着する構成を備えた遊技機において、
前記遊技盤のベース板の前面部に取り付けられるコーナ飾りを有し、
前記コーナ飾りの側端部のうち、少なくとも前記遊技機のヒンジ側に向いた側端部に、後部から前部に向けて前記ベース板の側端から逃げるように内側に傾斜する角取り面を設ける構成とした。
【０１１０】
このような構成によれば、コーナ飾りの側端部に角取り面が設けられるため、本体枠の開口部に遊技盤の側端を近づけても、コーナ飾りが本体枠の枠面にぶつかりにくくなる。これにより、コーナ飾りが邪魔になることなく、本体枠にスムーズに遊技盤を取り付けることができる。
【０１１１】
具体例を実施形態で示すと、図２に示すように、遊技盤１５には、ベース板２１上にレールユニット２２が固定されており、その四隅部にコーナ飾りが一体的に形成されている。各コーナ飾りは、上下および左右で互いに連なっており、遊技領域Ｐの外側の盤面をほぼ全面覆っている。
遊技盤１５のヒンジ側のコーナ飾り９１，９１には、係止溝９２，９２が形成される。
【０１１２】
図４０に示すように、遊技盤１５を装着するための本体枠１３には、遊技盤装着枠部９３が設けられており、この遊技盤装着枠部９３は、そのヒンジ側に係止片９４，９４を有している。係止片９４，９４は、遊技盤１５の係止溝９２，９２に嵌って装着後の遊技盤１５を固定する。
【０１１３】
図４１および図４２に示すように、コーナ飾り９１の側端部には角取り面９５が形成される。角取り面９５は、後部から前部に向けてベース板２１の側端から逃げるように遊技盤１５の前方（正面側）に向けて内側に傾斜している。
【０１１４】
遊技盤装着枠部９３への遊技盤１５の挿入時には、図４３に示すように、遊技盤装着枠部９３の枠面に対して遊技盤１５が斜めに傾きやすいが、コーナ飾り９１は、角取り面９５によって遊技盤装着枠部９３から離れた位置に保たれる。このため、コーナ飾り９１に邪魔されることなく、本体枠１３に遊技盤１５を取り付けることができる。
【０１１５】
なお、本実施形態のように、遊技盤装着枠部９３の係止片９４にコーナ飾り９１の係止溝９２を嵌め合わせる場合には、係止片９４に向き合う係止溝９２の溝側面にも角取り面９７（図４２参照）を形成することが望ましい。
このように係止溝９２に溝内に角取り面９７を形成することで、遊技盤装着枠部９３への遊技盤１５の挿入時に、係止片９４と角取り面９７との間にも十分な距離が保たれ（図４３参照）、係止片９４に係止溝９２を嵌め合わせやすくなる。
【０１１６】
［他の発明５：レールユニットの圧入ピン収納構造］
前記実施形態のように複数の圧入ピンを有するレールユニットは、レールユニットを積み重ねると、圧入ピンが隣り合うレールユニットに当たり、ユニット間に隙間を形成するため、嵩張りやすく、運搬や保管等の取り扱いが不便である。
【０１１７】
本発明の遊技機は、複数の圧入ピンを有するレールユニットを備えた遊技機において、このレールユニットの圧入ピンと反対側のユニット面に、隣り合う他のレールユニットの圧入ピンを収納可能な収納穴を設ける構成とした。
【０１１８】
このような構成によれば、レールユニットを積み重ねる際に、重なり合ったレールユニットの収納穴に圧入ピンを収納することで、ユニット間に隙間が少なくなる。この結果、レールユニットをコンパクトに積み重ねることができ、運搬・保管等の取り扱いが便利になる。
なお、本発明は、圧入ピンだけでなく、レールユニット背面に突出するボスなどの他の突出部に適用してもよい。
【０１１９】
本実施形態では、外レールユニット２２Ａに本発明を適用している。図６に示すように、外レールユニット２２Ａの背面には、レール面に沿って４つの圧入ピン３２ａ〜３２ｄが設けられる。また、ユニット下部にはボスＢ１が突出している。
これらの４つの圧入ピン３２ａ〜３２ｄの反対側すなわちレールユニット２２Ａの前面側には、収納穴１００ａ〜１００ｄ（図４参照）が設けられる。また、ボスＢ１の反対側の位置には収納穴１０１が設けられている。収納穴１００ａ〜１００ｄおよび１０１は、圧入ピン３２ａ〜３２ｄおよびボスＢ１とほぼ同軸線上にある。
【０１２０】
外レールユニット２２Ａを複数重ねると、図４４に示すように、これらの圧入ピン３２ａ〜３２ｄとボスＢ１が隣り合う外レールユニット２２Ａの収納穴１００ａ〜１００ｄおよび１０１に嵌まる。この結果、外レールユニット２２Ａの間の隙間がなくなり、コンパクトな形態で外レールユニット２２Ａの運搬や保管等を行うことができる。
【０１２１】
［他の発明６：レールユニットのロック機構］
従来、複数に分割されたレールユニット（外レールユニット、中間レールユニットおよび内レールユニット）は、取り扱いが容易な分割状態で運搬、保管され、遊技盤（ベース板）にそれぞれ組み付けられる。しかし、隣り合うユニットを、球の滑走、転動に支障がないようそれらの弧状のレール面を正確に一致させながら遊技盤（ベース板）に組み付けるのは面倒な作業であった。
そこで、前記実施形態に示す本発明では、複数に分割されたレールユニット（外レールユニット２２Ａ、中間レールユニット２２Ｂおよび内レールユニット２２Ｃ）を組み合わせて遊技領域を区画する構成を備えた遊技機おいて、分割された前記レールユニットのうち、少なくとも２以上のユニット同士（中間レールユニット２２Ｂ、内レールユニット２２Ｃ）を回動可能に軸支する構成とした。
【０１２２】
このような構成によれば、遊技盤（ベース板）の前面にレールユニットを組み付ける前に、レールユニットを運搬、保管等する場合、回動可能に軸支されたユニット同士を閉じてコンパクトな形態に折り畳むことができ、運搬、保管等に面倒がない。一方、遊技盤（ベース板）にレールユニットを組み付けるときには、回動軸を中心にユニット同士を回動させれば、遊技領域を区画する形状になるようにレールユニットを直ぐに展開することができ、かつ隣り合うユニットの弧状のレール面を容易に一致させて組み付けることができる。
【０１２３】
前記発明において、回動可能に軸支されたレールユニットの運搬、保管等の際には、ユニット同士を閉じた状態に保ってもガタ付きやグラ付きが生じることがある。また、レールユニットを遊技盤（ベース板）に組み付ける場合には、レールユニットを展開しつつ、これらのレール面（図３参照）を展開方向で容易に位置決めできればなおよい。
【０１２４】
そこで、本発明の遊技機を、当該２以上に分割された前記レールユニットを軸支する構成とした上で、前記レールユニットには互いにスライドしながら重なり合う重合部を形成し、これらの重合部に、回動軸を中心に前記レールユニットを閉じたときと、前記レールユニットのレール面が一致したときとにそれぞれ嵌合し合うロック爪およびロック穴を設ける構成とする。
【０１２５】
このような構成によれば、回転軸で軸支されたユニット同士を閉じる場合には、その重合部をスライドさせて、予め閉じ位置に設けたロック爪とロック穴とを嵌め合わせる。すると、ユニット同士が閉じたままロックされ、運搬等の取り扱いが容易になる。
また、レールユニットを展開する場合には、展開位置に設けたロック爪とロック穴とを嵌め合わせると、展開方向においても簡単かつ正確にユニット同士のレール面を一致させることができる。
【０１２６】
具体例を実施形態で示すと、遊技機１０のレールユニット２２は、外レールユニット２２Ａ、中間レールユニット２２Ｂ、および内レールユニット２２Ｃに分割されている。これらのユニットのうち、図４５に示すように、中間レールユニット２２Ｂと内レールユニット２２Ｃが連結ネジ２６（回転軸）で回動可能に軸支されている。中間レールユニット２２Ｂおよび内レールユニット２２Ｃには、連結ネジ２６のボス１１０、１１１が形成され、これらのボス１１０、１１１が互いに重なり合っている。
図４５に示すように、中間レールユニット２２Ｂのボス１１０にはロック穴Ｍ１、Ｍ２が開口している。一方、内レールユニット２２Ｃのボス１１１にはロック穴Ｍ１およびＭ２に嵌合可能なロック爪１１２が図４５で下向きに突出している。これらのロック穴Ｍ１、Ｍ２およびロック爪１１２は、連結ネジ２６の中心に対して同心円上にある。
【０１２７】
中間レールユニット２２Ｂと内レールユニット２２Ｃとを閉じる場合、ボス１１０とボス１１１とをスライドさせ、図４６に示すように、ロック穴Ｍ２にロック爪１１２が嵌るようにする。このとき、図４７に示すように、連結ネジ２６を中心として中間レールユニット２２Ｂと内レールユニット２２Ｃとが折り畳まれ、これらの運搬や保管に便利な形態になる。
【０１２８】
一方、図４６に示す状態から、連結ネジ２６の周りに内レールユニット２２Ｃを反時計回りに回動させると、重合部１１０，１１１がスライドし、図４５に示すように、ロック穴Ｍ１にロック爪１１２が嵌まる。同時に、中間レールユニット２２Ｂと内レールユニット２２Ｃのレール面が一致することになる。
【０１２９】
本実施形態では、図４８および図４９に示すように、中間レールユニット２２Ｂと内レールユニット２２Ｃの連結ネジ２６から離れた位置に重合片１１４，１１５を設け、これらの接触面にロック穴Ｍ３とロック爪１１６とをそれぞれ形成している。
例えば図４９の状態から、中間レールユニット２２Ｂと内レールユニット２２Ｃとを展開してレール軌道を形成する場合、連結ネジ２６の周りに内レールユニット２２Ｃを反時計回りに回動させると、重合片１１４，１１５がスライドし、ロック穴Ｍ３にロック爪１１６が嵌まって中間レールユニット２２Ｂと内レールユニット２２Ｃのレール面が一致し、図４８に示す状態となる。
このように中間レールユニット２２Ｂおよび内レールユニット２２Ｃにロック穴Ｍ１，Ｍ２，Ｍ３とロック爪１１２，１１６を採用することで、レールユニットの運搬、収納等の取り扱いが容易になり、かつ、レールユニットの展開時のレール面の位置合わせを簡単かつ正確に行うことができる。
【符号の説明】
【０１３０】
１０    遊技機
１２    外枠
１３    本体枠
１４    ガラス枠
１５    遊技盤
１６    ヒンジ
２１    ベース板
２２    レールユニット
２５    連結ピン
２６    連結ネジ
３１ａ〜３１ｉ  ボス
３２ａ〜３２ｈ  圧入ピン
４０    台座
５０    除電金具
５１    平板部（中継部）
５２    斜め折り部（中継部）
５３    縦折り部（中継部）
５４    横折り部（中継部）
５５    凸折り部（中継部）
５８    板刃（貫入部）
６１    集合樋
７０    保護カバー
７１    支軸
７２    バネ板
７３    係止爪
７４    軸受
８０    取っ手
８４、８５    コネクタ
９３    遊技盤装着枠部
９４    係止片
９５，９７  角取り面
１００ａ〜１００ｄ  収納穴
１１２，１１６  ロック爪
１２０  除電金具
１２８  舌板
Ｂ１，Ｂ２  ボス
Ｈ１，Ｈ２  ネジ穴
Ｌ    セル画シート
Ｌ１  裏打ち紙層
Ｌ２  接着材層
Ｌ３  金属層
Ｌ４  インク層
Ｌ５  透明樹脂層
Ｍ１，Ｍ２，Ｍ３  ロック穴
Ｎ    固定ネジ（スクリューネジ）
Ｎ１  ネジ溝
Ｎ２  ネジ山
Ｒ    案内レール
Ｒ１，Ｒ２  レール面
Ｗ    小窓
【図１】
2010155124.tif 000003
【図２】
2010155124.tif 000004
【図３】
2010155124.tif 000005
【図４】
2010155124.tif 000006
【図５】
2010155124.tif 000007
【図６】
2010155124.tif 000008
【図７】
2010155124.tif 000009
【図８】
2010155124.tif 000010
【図９】
2010155124.tif 000011
【図１０】
2010155124.tif 000012
【図１１】
2010155124.tif 000013
【図１２】
2010155124.tif 000014
【図１３】
2010155124.tif 000015
【図１４】
2010155124.tif 000016
【図１５】
2010155124.tif 000017
【図１６】
2010155124.tif 000018
【図１７】
2010155124.tif 000019
【図１８】
2010155124.tif 000020
【図１９】
2010155124.tif 000021
【図２０】
2010155124.tif 000022
【図２１】
2010155124.tif 000023
【図２２】
2010155124.tif 000024
【図２３】
2010155124.tif 000025
【図２４】
2010155124.tif 000026
【図２５】
2010155124.tif 000027
【図２６】
2010155124.tif 000028
【図２７】
2010155124.tif 000029
【図２８】
2010155124.tif 000030
【図２９】
2010155124.tif 000031
【図３０】
2010155124.tif 000032
【図３１】
2010155124.tif 000033
【図３２】
2010155124.tif 000034
【図３３】
2010155124.tif 000035
【図３４】
2010155124.tif 000036
【図３５】
2010155124.tif 000037
【図３６】
2010155124.tif 000038
【図３７】
2010155124.tif 000039
【図３８】
2010155124.tif 000040
【図３９】
2010155124.tif 000041
【図４０】
2010155124.tif 000042
【図４１】
2010155124.tif 000043
【図４２】
2010155124.tif 000044
【図４３】
2010155124.tif 000045
【図４４】
2010155124.tif 000046
【図４５】
2010155124.tif 000047
【図４６】
2010155124.tif 000048
【図４７】
2010155124.tif 000049
【図４８】
2010155124.tif 000050
【図４９】
2010155124.tif 000051
【手続補正書】
【提出日】平成22年5月12日(2010.5.12)
【手続補正１】
【補正対象書類名】明細書
【補正対象項目名】全文
【補正方法】変更
【補正の内容】
【発明の詳細な説明】
【技術分野】
【０００１】
本発明は、遊技機に関するもので、詳しくは、遊技盤の装飾シート（セル画シート）の除電構造に関するものである。
【背景技術】
【０００２】
一般に、パチンコ機等の遊技盤は、ベニア板等からなる盤面にセル画シートが貼られている。セル画シートは、透明フィルムに印刷された画により遊技盤面を
装飾するもので、その中には金属光沢を有するセル画シートがある。そのようなセル画シートは、例えば、ＰＥＴ（ポリエチレンテレフタレート）、キャブロイドなどの透明フィルムに装飾用の図柄を印刷し、これにアルミ箔（金属層）を貼り付け、さらに、この金属層に接着剤で裏打ち紙を貼り付けて形成されている。そして、このような金属層による光の反射によって、印刷された図柄や背景にメタリックな風合いが加味され、遊技領域に独特の趣を醸し出す。
なお、関連する先行技術としては、下記の特許文献１，２等が開示されている。
【先行技術文献】
【特許文献】
【０００３】
【特許文献１】特開平１０−９９４９１号公報
【特許文献２】特開２００２−１９１７７３号公報
【発明の概要】
【発明が解決しようとする課題】
【０００４】
ところが、このようなセル画シートは、遊技時にその金属層に静電気を帯びやすく、これが原因で遊技球が役物や釘等に接触した際にスパークし、各種制御装置の誤動作を招く電磁波ノイズを引き起こしやすい。
本発明は、このような現状に鑑みなされたものであり、セル画シートの金属層に帯電する静電気を迅速かつ確実に取り除けるようにした遊技機を提供することを目的としている。
【課題を解決するための手段】
【０００５】
本発明の遊技機は、請求項１に記載したように、
ベース板の表面に導電性の金属層を有するセル画シートを設けると共に該セル画シートの表面を外レールと内レールで囲って遊技領域を形成した遊技盤と、
金属製の固定ネジを挿通するボスを一体に備え、該ボスに通した前記固定ネジで遊技盤の隅部に固定されるプラスチック成形品と、
前記ボスと遊技盤の間に配置されると共に前記固定ネジを挿通可能なネジ穴を有し、さらに別途形成したアース配線に電気的に接続される導電性の除電金具と、を備え、
前記除電金具の前記ネジ穴は、前記固定ネジのネジ山径よりも大きなネジ穴径を有し且つ穴縁から直径方向に向けて前記固定ネジのネジ溝面に弾性変形しつつ接触する舌板を複数等間隔に突設したものであり、
前記固定ネジを遊技盤に締め付けることにより前記ボスを介して前記プラスチック成形品を遊技盤に固定すると共に該固定ネジのネジ溝面に前記舌板を接触させて前記セル画シートの前記金属層と前記除電金具を前記固定ネジを介して電気的に導通させるようにした遊技機を提供する。
【０００６】
このような構成によれば、固定ネジをネジ穴にねじ込む際、舌板がネジ溝にくい込むように弾性変形しながらネジ溝面（螺旋状傾斜面）に当たる。すなわち、この舌板に案内されるように固定ネジがネジ穴にねじ込まれることになる。この結果、固定ネジのネジ山がネジ穴の穴縁で削られることがなくなる。
また、舌板がネジ溝面に弾性変形しながら接触することで、固定ネジ（貫入部）と除電金具（中継部）との電気的な接触も確実に確保することができる。
【０００７】
また、本発明の遊技機は、前記舌板が、前記ネジ穴の内周方向の等間隔位置に２個以上設けられることを特徴としている。
【０００８】
このような構成によれば、ネジ穴の中心付近に固定ネジを舌板で囲むように支持することができるため、板金に対し固定ネジの軸を真っ直ぐに保ちやすくなる。この結果、固定ネジの締め付け作業を行いやすくすることができる。
舌板の具体的な配置としては、例えばネジ穴の内周に沿って１８０゜間隔で２個、１２０゜間隔で３個、９０゜間隔で４個、６０゜間隔で６個、４５゜間隔で８個等を採用することができる。
【０００９】
なお、好ましくは前記舌板は、その穴縁の立ち上がり付近から舌板先端にかけて曲線の外形線をなすように形成するとよい。
【００１０】
このような構成によれば、舌板を含むネジ穴形状に角になる箇所がなくなるため、板金にネジ穴を打ち抜き加工しやすくなる。また、舌板が弾性変形するときに、特定の箇所に応力が集中しにくくなり、舌板の曲げ強度を高めやすくなる。
【００１１】
また、好ましくは、前記除電金具が遊技盤の金属レールに接触するようにするとよい。
【００１２】
このような構成によれば、セル画シートの金属層と、遊技盤の金属レールとの間に除電金具を介して導電通路が形成される。これにより、セル画シートの金属層に溜まった静電気を効率よく除電することができる。
【００１３】
また、好ましくは、前記除電金具を弾性変形させてその屈曲面を遊技機の前面側に開閉するガラス枠のアース端子に接触させるようにするとよい。
【００１４】
このような構成によれば、ガラス枠の閉鎖時に除電金具とガラス枠のアース端子との間に良好な接触状態を保つことができる。すなわち、ガラス枠の開放時は、遊技盤からアース端子が離れ、除電金具とアース端子とは遮断される。一方、ガラス枠が閉じられると、アース端子が除電金具を加圧し、その屈曲面を弾性変形させる。これにより、屈曲面がアース端子に密着し、接触状態を安定させることができる。
【００１５】
また、好ましくは、前記除電金具を金属製の帯板材を折り曲げて形成するとよい。
【００１６】
このような構成によれば、金属製の帯板材の簡単な加工で除電金具を製造することができ、遊技機の製造コストを抑えることができる。また、狭いスペースであっても除電金具を取り付けやすく、遊技盤上で除電金具が他の構成部品の邪魔になりにくい。
【００１７】
本発明は、金属層を有するセル画シートを遊技盤面に貼る構成の各種遊技機に適用することができる。例えば、パチンコ機、アレンジボール機、雀球遊技機等の遊技機に適用すると効果的である。
【図面の簡単な説明】
【００１８】
【図１】本発明の実施形態による遊技機を示す斜視図である。
【図２】同遊技機の遊技盤を示す斜視図である。
【図３】本発明の実施形態によるレールユニットを示す正面図である。
【図４】同レールユニットの外レールユニットを示す正面図である。
【図５】同レールユニットの外レールユニットを示す背面図である。
【図６】同レールユニットの外レールユニットを示す背面斜視図である。
【図７】同レールユニットの中間レールユニットおよび内レールユニットを示す正面図である。
【図８】同レールユニットの中間レールユニットおよび内レールユニットを示す背面図である。
【図９】同レールユニットの中間レールユニットおよび内レールユニットを示す斜視図である。
【図１０】同レールユニットの中間レールユニットおよび内レールユニットを示す側面図である。
【図１１】同レールユニットの図５および図６に示す［Ｚ］部分の拡大図である。
【図１２】図１１に示す［１２］−［１２］線断面図である。
【図１３】本発明の第１実施形態による除電金具を示す斜視図である。
【図１４】同除電金具の側面図である。
【図１５】同除電金具の板刃を示す部分拡大断面図である。
【図１６】同除電金具の取付状態を示すもので、（Ａ）は部分拡大平面図、（Ｂ）は部分拡大断面図である。
【図１７】同除電金具と案内レールとの接触状態を示す部分拡大平面図である。
【図１８】同除電金具の板刃の作用を説明するための拡大模式断面図である。
【図１９】本発明の第２実施形態による除電金具を示す斜視図である。
【図２０】同除電金具を示すもので、（Ａ）は側面図、（Ｂ）は底面図である。
【図２１】同第２実施形態によるレールユニットの図５および図６に示す［Ｚ］部分の拡大図である。
【図２２】図２１に示す［２２］−［２２］線断面図である。
【図２３】同除電金具の取付状態を示すもので、（Ａ）は部分拡大平面図、（Ｂ）は部分拡大側面図である。
【図２４】同除電金具と案内レールとの接触状態を示す部分拡大平面図である。
【図２５】同除電金具のネジ穴と固定ネジのネジ径との関係を説明するための部分拡大平面図である。
【図２６】同除電金具の取付状態を示す断面図である。
【図２７】同除電金具の舌板の作用を説明するための拡大模式断面図である。
【図２８】第２実施形態の同除電金具の変形例を示すもので、ネジ穴と固定ネジのネジ径との関係を説明するための部分拡大平面図である。
【図２９】第２実施形態の同除電金具の他の変形例を示す斜視図である。
【図３０】本発明の実施形態による遊技盤を示す背面図である。
【図３１】同遊技盤の背面斜視図である。
【図３２】同遊技盤のレールユニットと集合樋との共締め構造を示す部分拡大断面図である。
【図３３】本発明の実施形態による遊技盤の外レール始端付近を示す部分拡大正面図である。
【図３４】同遊技盤の外レールの保護カバーを示す正面図である。
【図３５】同保護カバーの斜視図である。
【図３６】同保護カバーの取付部分の構成を示す斜視図である。
【図３７】同保護カバーの作用説明図である。
【図３８】本発明の実施形態による遊技盤側のコネクタを示す断面図である。
【図３９】同遊技盤側のコネクタを取り外した状態を示す断面図である。
【図４０】本発明の実施形態による遊技機の遊技盤を取り外した状態を示す斜視図である。
【図４１】同遊技盤の平面図である。
【図４２】同遊技盤のコーナ飾りを示す部分拡大斜視図である。
【図４３】同コーナ飾りの作用を説明するための模式断面図である。
【図４４】本発明の実施形態によるレールユニットを重ね合わせた状態を示す模式断面図である。
【図４５】同レールユニットの中間レールユニットおよび内レールユニットの連結部分の構成を示す拡大平面図である。
【図４６】同レールユニットの中間レールユニットおよび内レールユニットの連結部分の作用を説明するための拡大平面図である。
【図４７】同レールユニットの中間レールユニットと内レールユニットとを折り畳んだ状態を示す平面図である。
【図４８】同レールユニットの中間レールユニットと内レールユニットとの連結部分の構成を示す平面図である。
【図４９】同レールユニットの中間レールユニットと内レールユニットとの連結部分の作用を説明するための平面図である。
【発明を実施するための形態】
【００１９】
以下、本発明の実施の形態を図面に基づいて説明する。本実施形態は、パチンコ機に本発明を適用したものである。最初に、板刃タイプの除電金具を採用した第１実施形態を説明し、その説明の後で舌板タイプの除電金具を採用した第２実施形態を説明する。
［第１実施形態］
図１に示すように、遊技機１０は、外枠１２に本体枠１３およびガラス枠１４が取り付けられる。本体枠１３に形成された開口の前部には遊技盤装着枠部９３（図４０参照）が設けられ、この遊技盤装着枠部９３に遊技盤１５が脱着可能に取り付けられている。本体枠１３とガラス枠１４とはヒンジ１６により遊技機１０の正面側に開閉するようになっている。
【００２０】
遊技盤１５の下方には遊技球の発射用のハンドル１７が設けられる。ハンドル１７を操作すると、遊技球が発射レール１８に打ち出され、外レール１５ａと内レール１５ｂとの間の誘導通路を通って遊技盤１５の遊技領域Ｐに放出される。
【００２１】
図２に示すように、遊技領域Ｐには、遊技球の落下方向を規制する誘導釘（図示省略）が設けられ、これらの誘導釘の間に抽選図柄を表示する図柄表示装置３０、抽選図柄表示を開始させる始動口２７、一般入賞口２８、大当たり時に開閉して遊技球の入賞を促すアタッカ装置２９等が配置されている（図２参照）。
【００２２】
遊技盤１５は、ベニヤ等の板材からなるベース板２１と、プラスチック成形材からなるレールユニット２２とを備えている。遊技盤１５の盤面のうちレールユニット２２に囲まれる部分に遊技領域Ｐが仕切られる。遊技領域Ｐの盤面には、セル画シートが貼られており、そのシート面に図柄、文字、キャラクター、背景などの遊技を盛り上げる装飾印刷が施されている。遊技者は、ガラス枠１４（図１参照）を通して係る印刷面を見ることになる。
【００２３】
レールユニット２２は、外レールユニット２２Ａ、中間レールユニット２２Ｂ、および内レールユニット２２Ｃからなる。これらのうちレールユニット２２Ａ、２２Ｂの遊技領域Ｐの外側には、ベース板１２の四隅部を覆うコーナ飾りが一体形成されている。
【００２４】
外レールユニット２２Ａは、外レール始端付近から遊技盤１５の左側端部を通って遊技盤１５の上端部に達し、外レール終端付近まで延びる。中間レールユニット２２Ｂは、外レール終端付近から遊技盤１５の右側端部を通って下方に延び、遊技盤１５の下部中央付近まで延びる。そして、内レールユニット２２Ｃは、遊技盤１５の下部中央付近から外レールユニット２２Ａの内側面に沿って上方に延びる。
図３に示すように、外レールユニット２２Ａと中間レールユニット２２Ｂとは、連結ピン２５で連結されており、一方、中間レールユニット２２Ｂと内レールユニット２２Ｃとは、連結ネジ２６で連結されている。
【００２５】
図５および図６に示すように、外レールユニット２２Ａの裏面には、固定ネジを通すボス３１ａ〜３１ｆと、圧入ピン３２ａ〜３２ｄとが所定の間隔を保って形成される。
一方、図８〜図１０に示すように、中間レールユニット２２Ｂと内レールユニット２２Ｃの裏面には、固定ネジを通すボス３１ｇ〜３１ｉと、圧入ピン３２ｅ〜３２ｈとが所定の間隔を保って形成されている。
各レールユニット２２Ａ〜２２Ｃとベース板２１との取り付けは、これらのボス３１ａ〜３１ｉおよび圧入ピン３２ａ〜３２ｈを、予めベース板２１に形成された固定穴に位置合わせし、固定ネジおよび圧入ピン３２ａ〜３２ｈで止めることにより行われる。
【００２６】
図５に示すように、外レールユニット２２Ａのレール長さ方向には、その内周面に沿って金属製の案内レールＲが取り付けられる。案内レールＲのレール面に遊技球が転がり、外レールユニット２２Ａの内周面は遊技球に直接触れることがない。
なお、このような金属製の案内レールＲは、外レールユニット２２Ａのみに採用され、中間レールユニット２２Ｂおよび内レールユニット２２Ｃには採用されない。すなわち、通常の遊技状態では、中間レールユニット２２Ｂおよび内レールユニット２２Ｃのレール面は遊技球の接触する頻度が少ないため、これらのユニット２２Ｂおよび２２Ｃでは、遊技領域Ｐを仕切る樹脂成形面（内周面）がそのまま遊技球のレール面として用いられる。
【００２７】
外レールユニット２２Ａの裏面側であって、図５および図６［Ｚ］部分に示す外レール終端部の拡大図を図１１（Ａ）および（Ｂ）に示した。
図１１（Ａ）に示すように、外レール終端付近の裏面は、除電金具５０を取り付けるための台座４０になっており、この台座４０に除電金具５０が所定の向きにセットされる。台座４０とベース板２１との間に除電金具５０がセル画シートと接触した状態で挟まれることになる。
【００２８】
図１２に示すように、台座４０は、ユニット前面パネル４１に立ち上げられたボス３１ａ、仕切壁４４、４５、４６等から構成される。ボス３１ａは、外レール終端付近でベース板２１に外レールユニット２２Ａをネジ固定するためのボスである。
ボス３１ａおよび仕切壁４４、４５、４６は、図１２で上端面が均一の高さに統一されており、これらの端面で除電金具５０を支持するようになっている。
【００２９】
台座４０においてボス３１ａの両側には一対の支持ピン４８が形成される（図１１参照）。これらの支持ピン４８の先端は、ボス３１ａの上端面（除電金具５０の支持面）よりの高い位置まで突出し、支持ピン４８，４８間で除電金具５０を挟めるようになっている。
【００３０】
ユニット側面パネル４２と仕切壁４４との間には、後述する除電金具５０の凸折り部（屈曲面）の収納スペースが設けられる。この収納スペースは、ユニット前面パネル４１に開口する小窓Ｗ（図１２参照）により遊技盤１５の前面側に開放されている。
【００３１】
図１３および図１４に示すように、除電金具５０は、金属製の帯板を折り曲げて形成される板金で、その平板部５１の一端に斜め折り部５２を有し、他端に縦折り部５３および横折り部５４が連なっている。横折り部５４のほぼ中間位置には断面Ｕ字形の凸折り部５５が設けられる。
【００３２】
平板部５１にはネジ穴Ｈ１が形成される。ネジ穴Ｈ１は、台座４０に除電金具５０をセットしたときにボス３１ａのネジ穴Ｈ２と重なる位置にある（図１２参照）。すなわち、これらのネジ穴Ｈ１およびＨ２に同時に固定ネジを通せるようになっている。
【００３３】
ネジ穴Ｈ１の穴縁には、その穴面に沿って周方向に鋸歯状の板刃５８が連なっている。図１５に示すように、板刃５８の板面は、ささくれ状になってネジ穴Ｈ１の外側（ネジ穴軸方向）に向いており、その先端は鋸歯状に分断され、鋭角の刃先が環状に並ぶ。なお、このようなささくれ状の板刃３１ａは、例えば平板部５１の板面に先端十字形の穴あけ工具等を突き刺すことで形成することができる。
【００３４】
平板部５１のネジ穴Ｈ１を挟んだ両側端には円弧溝Ｋ１およびＫ２が形成される。図１６に示すように、これらの円弧溝Ｋ１とＫ２との距離は、前述の支持ピン４８，４８の間の距離にほぼ等しい。この結果、支持ピン４８，４８の間に円弧溝Ｋ１とＫ２を合わせることで、台座４０に除電金具５０を仮止めすることができる。また、仮止めによってボス３１ａのネジ穴Ｈ２と、平板部５１のネジ穴Ｈ１とを簡単に位置合わせすることができる。
【００３５】
図１７に示すように、斜め折り部５２は、除電金具５０の長さ方向に対しほぼ４５゜の角度で折り曲げられる。斜め折り部５２の外側面には、ドーム形の凸部５２ａが形成されている。台座４０に除電金具５０をセットすると、仕切壁４６と案内レールＲとの間の隙間に斜め折り部５２が収まり、凸部５２ａが案内レールＲに接触する。すなわち、この凸部５２ａと案内レールＲとの接触により、案内レールＲと除電金具５０との導電通路が確保されることになる。
【００３６】
縦折り部５３および横折り部５４は、平板部５１に対してそれぞれほぼ垂直および平行な折り曲げ角をなしている。縦折り部５３の長さは、ユニット側面パネル４２と仕切壁４４との間の収納スペースの深さにほぼ一致する。この結果、図１２に示すように、収納スペースの底位置まで縦折り部５３を挿入することができ、このとき、横折り部５４の板面が収納スペースの底面（ユニット前面パネル４１の裏面）に重なる。
【００３７】
縦折り部５３および横折り部５４のそれぞれの折曲線付近には、矩形の貫通穴Ｓ１、Ｓ２が形成される（図１３参照）。これらの貫通穴Ｓ１、Ｓ２は、除電金具５０の板面の歪みを吸収する役割を果たす。
また、貫通孔Ｓ１は、図１２に示すように、仕切壁４４の突起４４ａに嵌まり、台座４０への除電金具５０の取付状態を安定させる。
【００３８】
凸折り部５５は、横折り部５４の板面にほぼ垂直に立ち上げられており、台座４０に除電金具５０をセットしたとき、その凸折り部５５がユニット前面パネル４１の小窓Ｗに嵌る（図１２参照）。遊技盤１５の正面からレールユニット２２のレール終端付近を見ると、ユニット前面に凸折り部５５が突出した状態となる（図１および図２参照）。
【００３９】
図１に示すように、ガラス枠１４の背面側には、フレーム骨格となる鉄板が露出しており、この鉄板の一部を折り曲げて舌片状のアース端子５９が形成される。アース端子５９は、ガラス枠１４のフレーム骨格（金属部）を含む遊技機１０の既存のアース配線によって接地される。図１に示す遊技機１０の開放状態から、ガラス枠１４を本体枠１３側に閉じると、アース端子５９が除電金具５０の凸折り部５５に接触し、除電金具５０がアース配線に接続される。
【００４０】
除電金具５０とアース端子５９との接触は、ガラス枠の閉鎖時にアース端子５９に凸折り部５５が押されて撓むことによって行われる。このため、アース端子５９の金属面に凸折り部５５の屈曲面が弾性変形して密着する格好となり、その接触状態が良好に保たれる。
【００４１】
次に、除電金具５０による静電気の除電作用について説明する。
ベース板２１にレールユニット２２を固定する場合、台座部４０に除電金具５０をセットし、ボス３１ａにネジを通してベース板２１に締め込むと、図１８に示すように、ネジＮによってレールユニット２２全体がベース板２１に向かって押し付けられ、同時にボス３１ａとベース板２１との間に挟まれた除電金具５０の板刃５８がセル画シートＬを突き破ってベース板２１に刺さる。そして、板刃５８の側面がセル画シートＬの金属層Ｌ３に接触し、金属層Ｌ３をアースすることになる。なお、図１８に示すセル画シートＬにおいて、最下層Ｌ１は裏打ち紙層、第２層Ｌ２は接着材層、第３層Ｌ３はアルミ箔等の金属層、第４層Ｌ４はインク層、最上層Ｌ５（表面層）は透明フィルム層を示している。
【００４２】
このように遊技機１０によれば、セル画シートＬの金属層Ｌ３が板刃５８を介して除電金具５０に接触し、アースされるまでの経路を形成するため、金属層Ｌ３に静電気が帯電しても、除電金具５０から前述のアース端子を通して静電気が直ちに外部に放出される。この結果、遊技機１０に静電気による電磁波ノイズが発生しにくく、制御装置等の誤動作を未然に防止することができる。
【００４３】
また、遊技機１０は、板刃５８の刃先でセル画シートＬを分断して除電金具５０と金属層Ｌ３と接触させるため、セル画シートＬの各層が板刃５８と一緒にベース板２１の下方に押し込まれにくい。これにより、除電金具５０と金属層Ｌ３とが他の層に邪魔されることなく確実に接触し、導電通路の信頼性が高まる。
【００４４】
また、除電金具５０のネジ穴Ｈの穴面に沿って板刃５８を立ち上げているので、除電金具５０をネジＮで固定する際に同時に板刃５８をセル画シートＬに差し込むことができ、除電金具５０の取り付けの手間も少ない。
【００４５】
また、前述したように、除電金具５０はその斜め折り部５２で金属製の案内レールＲとも接触しているので、例えば発射球が帯電しているような場合に案内レールＲが静電気を帯びても、このような静電気を同時に除去することができる。
さらに、除電金具５０は、帯板材を折り曲げて形成する簡単な構成であるため、製造コストも比較的少なくて済む。
【００４６】
以上、板刃タイプの除電金具を採用する実施形態を説明したが、本発明の実施形態はこれに限定されることなく、必要に応じて、その構成の変更を伴ってもよい。例えば前記実施形態では除電金具５０を外レールユニット２２Ａに取り付けているが、これに代えて、中間レールユニット２２Ｂや内レールユニット２２Ｃに取り付けるようにしてもよい。また、除電金具５０の板刃５８は、ネジ穴Ｈ１の穴面に沿って環状に複数並んでいるが、これらは必ずしも全て設ける必要はなく、歯抜け状の板刃にしたり、歯無しの筒状板刃の構成にしてもよい。また、除電金具５０の板刃は、筒状に限定されるものではなく、平板状であってもよい。
【００４７】
［第２実施形態］
次に、板刃タイプの除電金具を採用する遊技機の実施形態を説明する。
このタイプの遊技機は、前述の除電金具５０に代えて、図１９および図２０に示す除電金具１２０を用いたものである。この除電金具１２０の中央のネジ孔Ｈ１に金属製の固定ネジ（スクリューネジ）を通してセル画シートのアース経路を確保する。
【００４８】
遊技機の基本構成は、前述の第１実施形態の構成（図１〜図１０参照）と実質的に同一であるので、レールユニット等の各構成部分の説明は、第１実施形態の説明に準ずる。
【００４９】
第２実施形態において、外レールユニット２２Ａの裏面側であって、図５および図６［Ｚ］部分に示す外レール終端部の拡大図を図２１（Ａ）および（Ｂ）に示した。
図２１（Ａ）および（Ｂ）に示すように、外レール終端付近の裏面は、除電金具１２０を取り付けるための台座４０になっており、この台座４０に除電金具１２０が所定の向きにセットされる。台座４０とベース板２１との間に除電金具１２０がセル画シートと接触した状態で挟まれることになる。
【００５０】
図２２に示すように、台座４０は、ユニット前面パネル４１に立ち上げられたボス３１ａ、仕切壁４４、４５、４６等から構成される。ボス３１ａは、外レール終端付近でベース板２１に外レールユニット２２Ａをネジ固定するためのボスである。
ボス３１ａおよび仕切壁４４、４５、４６は、図２２で上端面が均一の高さに統一されており、これらの端面で除電金具１２０を支持するようになっている。
【００５１】
台座４０のボス３１ａの両側には一対の支持ピン４８が形成される（図２３参照）。これらの支持ピン４８の先端は、ボス３１ａの上端面（除電金具１２０の支持面）よりの高い位置まで突出し、支持ピン４８間で除電金具１２０を挟めるようになっている。
【００５２】
ユニット側面パネル４２と仕切壁４４との間には、後述する除電金具１２０の凸折り部（屈曲面）の収納スペースが設けられる。この収納スペースは、ユニット前面パネル４１に開口する小窓Ｗ（図２２参照）により遊技盤１５の前面側に開放されている。
【００５３】
図１９および図２０に示すように、除電金具１２０は、金属製の帯板を折り曲げて形成される板金で、その平板部１２１の一端に斜め折り部１２２を有し、他端に縦折り部１２３および横折り部１２４が連なっている。横折り部１２４のほぼ中間位置には断面Ｕ字形の凸折り部１２５が設けられる。
【００５４】
平板部１２１にはネジ穴Ｈ１が形成される。ネジ穴Ｈ１は、台座４０に除電金具５０をセットしたときにボス３１ａのネジ穴Ｈ２と重なる位置にある（図２２参照）。すなわち、これらのネジ穴Ｈ１およびＨ２に同時に固定ネジ（スクリューネジ）を通せるようになっている。
【００５５】
ネジ穴Ｈ１の穴縁には、舌板１２８，１２８が突出している。舌板１２８，１２８は、ネジ穴Ｈ１の内周１８０゜間隔で配置され、直径方向に向き合って穴中心に向かって延びる。舌板１２８，１２８の板面は、平板部１２１の板面に連なっており、その先端がネジ穴Ｈ１の上下に振れるように撓む。すなわち、舌板１２８，１２８の板面は、後述するように、固定ネジ（スクリューネジ）のネジ溝面に沿って弾性変形するようになっている。なお、このような舌板１２８，１２８は、例えば板金の打ち抜き加工等で形成することができる。
【００５６】
図２５に除電金具１２０の固定ネジ（スクリューネジ）Ｎとネジ穴Ｈ１との大きさの関係を示した。図２５において、固定ネジＮの一点鎖線は、ネジ頭の外形を示し、Ｎ１はネジ溝、Ｎ２はネジ山を示している。
ネジ穴Ｈ１のネジ穴径Ｄ１は、固定ネジＮのネジ山Ｎ１のネジ山径よりも十分に大きい。これにより、ネジ穴Ｈ１に固定ネジＮをねじ込むときに、ネジ山Ｎ２がネジ穴Ｈ１の穴縁を押し広げるように当たることはない。
一方、舌板１２８，１２８の先端間の距離Ｄ２は、固定ネジＮのネジ溝Ｎ１の外径よりも小さい。これにより、ネジ穴Ｈ１に固定ネジＮをねじ込むと、舌板１２８，１２８が撓んでネジ溝Ｎ１の溝面に接触することになる。
【００５７】
図２５に示すように、舌板１２８，１２８の穴縁の立ち上がり付近から先端にかけては、曲線の外形線をなすように形成されている。このようにネジ穴Ｈ１の穴形状に角になる箇所を設けないことで、ネジ穴Ｈ１の打ち抜き加工が行いやすくなる。また、舌板１２８，１２８がネジ穴Ｈ１の上下に撓んでも、特定の箇所に応力が集中しにくくなり、板面強度を高く保ちやすくなる。
【００５８】
平板部１２１のネジ穴Ｈ１を挟んだ両側端には円弧溝Ｋ１およびＫ２が形成される。これらの円弧溝Ｋ１とＫ２との距離は、前述の支持ピン４８，４８の間の距離にほぼ等しい（図２３参照）。この結果、支持ピン４８，４８の間に円弧溝Ｋ１とＫ２を合わせることで、台座４０に除電金具１２０を仮止めすることができる。また、仮止めによってボス３１ａのネジ穴Ｈ２と、平板部５１のネジ穴Ｈ１とを簡単に位置合わせすることができる。なお、このような円弧溝Ｋ１およびＫ２は、必要に応じて省略することも可能である。
【００５９】
図２４に示すように、斜め折り部１２２は、除電金具１２０の長さ方向に対しほぼ４５゜の角度で折り曲げられる。斜め折り部１２２の先端には、反り曲げ部１２２ａが形成されている（図１９および図２０参照）。台座４０に除電金具１２０をセットすると、仕切壁４６と案内レールＲとの間の隙間に斜め折り部１２２が収まり、反り曲げ部１２２ａが案内レールＲに接触する。すなわち、この反り曲げ部１２２ａと案内レールＲとの接触により、案内レールＲと除電金具１２０との導電通路が確保されることになる。
【００６０】
縦折り部１２３および横折り部１２４は、平板部１２１に対してそれぞれほぼ垂直および平行な折り曲げ角をなしている（図１９参照）。縦折り部１２３の長さは、ユニット側面パネル４２と仕切壁４４との間の収納スペースの深さにほぼ一致する。この結果、図２２に示すように、収納スペースの底位置まで縦折り部１２３を挿入することができ、このとき、横折り部１２４の板面が収納スペースの底面（ユニット前面パネル４１の裏面）に重なる。
【００６１】
縦折り部１２３および横折り部１２４のそれぞれの折曲線付近には、矩形の貫通穴Ｓ１、Ｓ２が形成される（図１９参照）。これらの貫通穴Ｓ１、Ｓ２は、除電金具１２０の板面の歪みを吸収する役割を果たす。
また、貫通孔Ｓ１は、図２２に示すように、仕切壁４４の突起４４ａに嵌まり、台座４０への除電金具１２０の取付状態を安定させる。
【００６２】
凸折り部１２５は、横折り部１２４の板面にほぼ垂直に立ち上げられており、台座４０に除電金具１２０をセットしたとき、その凸折り部１２５がユニット前面パネル４１の小窓Ｗに嵌る（図２２参照）。遊技盤１５の正面からレールユニット２２のレール終端付近を見ると、ユニット前面に凸折り部１２５が突出した状態となる（図１および図２参照）。
【００６３】
図１に示すように、ガラス枠１４の背面側には、フレーム骨格となる鉄板が露出しており、この鉄板の一部を折り曲げて舌片状のアース端子５９が形成される。アース端子５９は、ガラス枠１４のフレーム骨格（金属部）を含む遊技機１０の既存のアース配線によって接地される。図１に示す遊技機１０の開放状態から、ガラス枠１４を本体枠１３側に閉じると、アース端子５９が除電金具１２０の凸折り部１２５に接触し、除電金具１２０がアース配線に接続される。
【００６４】
除電金具１２０とアース端子５９との接触は、ガラス枠の閉鎖時にアース端子５９に凸折り部１２５が押されて撓むことによって行われる。このため、アース端子５９の金属面に凸折り部１２５の屈曲面が弾性変形して密着する格好となり、その接触状態が良好に保たれる。
【００６５】
次に、除電金具１２０による静電気の除電作用について説明する。
ベース板２１にレールユニット２２を固定する場合、図２６に示すように、台座部４０に除電金具１２０をセットし、ボス３１ａに金属製の固定ネジＮを通してベース板２１に締め付ける。すると、固定ネジＮがセル画シートＬを突き破ってベース板２１にくい込み、図２７に示すように、セル画シートＬの金属層Ｌ３に接触する。このとき同時に、固定ネジＮが舌板１２８，１２８を介して除電金具１２０（ネジ穴Ｈ１）の穴縁に接触するため、固定ネジＮと除電金具１２０をを通して金属層Ｌ３がアースされることになる。なお、図２７に示すセル画シートＬにおいて、最下層Ｌ１は裏打ち紙層、第２層Ｌ２は接着材層、第３層Ｌ３はアルミ箔等の金属層、第４層Ｌ４はインク層、最上層Ｌ５（表面層）は透明フィルム層を示している。
【００６６】
このように本実施形態の遊技機１０によれば、セル画シートＬの金属層Ｌ３が固定ネジＮを介して除電金具１２０に接触し、アースされるまでの経路を形成するため、金属層Ｌ３に静電気が帯電しても、除電金具１２０から前述のアース端子を通して静電気が直ちに外部に放出される。この結果、遊技機１０に静電気による電磁波ノイズが発生しにくく、制御装置等の誤動作を未然に防止することができる。
【００６７】
また、除電金具１２０のネジ穴Ｈ１に固定ネジＮをねじ込む際に、舌板１２８，１２８が弾性変形しながらネジ溝の傾斜面に接触するため、ネジ穴Ｈ１の穴縁によって固定ネジＮのネジ山が削られるようなことはなく、除電金具１２０と固定ネジＮとの電気的な接続を確実に確保することができる。
また、ネジ溝に舌板１２８，１２８が嵌った状態で固定ネジＮが下方（締め付け方向）へ送られるため空回りもしにくい。
【００６８】
さらに、舌板１２８，１２８がネジ穴Ｈ１の直径方向に向き合って延びるため、固定ネジＮをネジ穴Ｈ１の中心付近に保ちやすく、そのねじ込み作業が行いやすくなる。
【００６９】
さらに、前述したように、除電金具１２０は、その斜め折り部１２２で金属製の案内レールＲとも接触しているので、例えば発射球が帯電しているような場合に案内レールＲが静電気を帯びても、このような静電気を同時に除去することができる。
さらに、除電金具１２０は、帯板材（板金）を折り曲げて形成する簡単な構成であるため、製造コストも比較的少なくて済む。
【００７０】
以上、舌板タイプの除電金具１２０による遊技機１０を説明したが、本発明の実施形態はこれに限定されることなく、必要に応じて、その構成の変更を伴ってもよい。例えば前記実施形態では除電金具１２０を外レールユニット２２Ａに取り付けているが、これに代えて、中間レールユニット２２Ｂや内レールユニット２２Ｃに取り付けるようにしてもよい。
【００７１】
また、前記実施形態では、ネジ穴Ｈ１の直径方向に向き合う対の舌板１２８，１２８を用いたが、舌板の数を必要に応じて増やすこともできる。例えば図２８に示すように、ネジ穴Ｈ１の周縁部に４５゜間隔で放射状にスリットを入れて、これらのスリットの間に舌板１２８ｓを形成してもよい。各舌板１２８ｓは、ネジ穴Ｈ１の直径方向に互いに向き合い、固定ネジＮをネジ穴Ｈ１の中心付近に保つ。
【００７２】
また、図２９に示すように、ネジ穴Ｈ１の穴縁に板刃１２８ｔ，１２８ｔと舌板１２８ｕ，１２８ｕを両方設けるようにしてもよい。板刃１２８ｔ，１２８ｔは、平板部１２１の長さ方向に向き合い、舌板１２８ｕ，１２８ｕは、平板部１２１の幅方向に向き合うように配置される。
このような構成によれば、板刃１２８ｔ，１２８ｔと舌板１２８ｕ，１２８ｕの両方にアース経路を形成することができるため、セル画シートの除電の信頼性をさらに高めることが可能になる。
【００７３】
［その他の発明］
次に、遊技機１０に採用されている他の発明について説明する。遊技機１０には、前述したセル画シートの除電構造に関する発明の他、各所に複数の発明が適用されている。
【００７４】
［他の発明１：遊技盤の共締め構造］
前記実施形態のように遊技盤１５にレールユニット２２を有するタイプの遊技機では、ベース板２１にレールユニット２２を固定するための圧入ピンの数が多くなりやすい。このため、ベース板２１にレールユニット２２を固定する際の作業工程が煩雑だったり、固定装置の大型・複雑化を招くといった問題が生じることがある。
【００７５】
一方、遊技盤の背面には、通常、遊技球を回収するための集合樋が取り付けられる。集合樋は、ベース板の背面にネジ等で固定されるのが一般的である。
【００７６】
前述したような問題点を解決するため、本発明は、レールユニットの固定手段と、集合樋の固定手段を兼用する点に着目した。
すなわち、本発明の遊技機は、ベース板の前面にレールユニット、背面に集合樋を固定する遊技盤を備えた遊技機において、  
前記ベース板の所定位置に貫通孔を形成し、前記レールユニットおよび前記集合樋をそれぞれ前記貫通孔に位置合わせしてネジで共締めする構成とした。
【００７７】
このような構成によれば、レールユニットの固定ネジと、集合樋の固定ネジとが共通化されるため、両者の固定作業を同時に行うことができ、作業工程が大幅に簡略化される。また、レールユニットを固定するための専用の圧入ピンやネジの本数を減らすことができるため、固定装置の大型・複雑化を招きにくくなる。
【００７８】
具体例を実施形態で示すと、レールユニット２２は、外レールユニット２２Ａの下部であって、その側端付近に上下に２箇所のボスＢ１（図６参照）、また、中間レールユニット２２Ｂの下部であって、その側端付近に上下に２箇所のボスＢ１が形成されている（図９および図１０参照）。
【００７９】
図３０および図３１に示すように、ベース板２１の背面下部には集合樋６１および基板ボックス６２が固定されており、このうち、集合樋６１の四隅部にボスＢ１と等しい間隔を保って４つのボスＢ２が形成されている。
【００８０】
図３２に示すように、ベース板２１の下部には、前述のボスＢおよびＢ２に一致する位置に貫通孔Ｔが形成される。
ベース板２１にレールユニット２２と集合樋６１とを固定する場合、ベース板２１を挟んで貫通孔Ｔに両者のボスＢおよびＢ２を位置合わせし、ネジ６３によって共締めする。
【００８１】
このようにベース板２１にレールユニット２２と集合樋６１とを共締めすることにより、これらの固定作業が簡略化される。また、レールユニット２２の圧入ピン３２ａ〜３２ｈ（図６、図１０参照）が比較的少ない本数で済み、ベース板２１にレールユニット２２を圧入するための固定装置の小型化が行いやすく、固定装置への位置合わせ等の作業が簡単になる。
【００８２】
［他の発明２：保護カバーの開閉機構］
遊技盤の外レール始端付近には、ファール球（落下球）と発射球とが衝突した弾みで正面ガラスに当たるのを防止するために保護カバーが設けられることがある。通常は、レール面に対し保護カバーをほぼ垂直に立てて保持し、一方、レール面を掃除するときには、保護カバーを取り外すか、または、可撓性材料からなる保護カバーを折り曲げてレール面を覗けるようにしている。
しかしながら、このような従来の保護カバーは、一旦保護カバーを取り外すと、その取り付けが面倒である。また、保護カバーを折り曲げた状態では、掃除の際に保護カバーが邪魔になりやすい。
【００８３】
前記問題点を解決するため、本発明の遊技機は、遊技盤の外レール始端付近に、レール面を覆う保護カバーを有する遊技機において、
前記保護カバーは、前記遊技盤の正面側に支軸により開閉可能に支持されており、かつ、前記保護カバーの開閉軸付近に、前記保護カバーの開閉角度を規制する係止爪を備える構成とした。
【００８４】
このような構成によれば、保護カバーが前記遊技盤の正面側に支軸によって開閉可能に支持されるため、その開閉操作を簡単に行える。また、係止爪で保護カバーの開放角度を一定に保っておくことができるため、レール面を掃除する際に、保護カバーが邪魔になりにくい。
【００８５】
具体例を本実施形態で示すと、図３３に示すように、外レールユニット２２Ａのレール始端付近に保護カバー７０が取り付けられる。保護カバー７０は、ガラス枠１４の内側であって、案内レールＲを覆う位置に取り付けられている。
【００８６】
図３４および図３５に示すように、保護カバー７０は、透明なプラスチック材料からなり、案内レールＲの弧状のレール面に沿って帯状に延びている。保護カバー７０の下端には支軸７１，７１が一体形成される。支軸７１，７１が外レールユニット２２Ａの軸受７４（図３３参照）に嵌って回動することで、保護カバー７０が遊技盤１５の正面側に開閉する。
【００８７】
保護カバー７０の下端には、２個の平行な開放スリットの間にバネ板７２が形成される。このバネ板７２の先端であって、保護カバー７０の開閉軸付近に係止爪７３が形成されている。
【００８８】
図３６は、外レールユニット２２Ａから保護カバー７０を取り外した状態を示している。外レールユニット２２Ａの保護カバー取り付け部には、保護カバー７０の支軸７１，７１と等間隔に軸受７４，７４が配置される。軸受７４，７４は、有底筒状になっており、これらの開放筒端から軸方向に支軸７１，７１をズラして挿入する。
【００８９】
軸受７４，７４の間には突起７５が形成される。外レールユニット２２Ａに保護カバー７０を取り付けると、突起７５の傾斜面が保護カバー７０の係止爪７３に当たる。
【００９０】
通常時、図３７に示すように、係止爪７３は、その膨出部７３ａのレール面に近い端面（図３７（Ａ）で右下端面）が突起７５の傾斜面に当たって保護カバー７０をレール面に対しほぼ垂直な状態に保つ。
保護カバー７０の上端部を手で持って外側に開くと、図３７（Ｂ）に示すように、膨出部７３ａが突起７５の傾斜面を上るようにズレながら回動し、バネ板７２を撓ませる。そして、保護カバー７０が一定角度まで開くと、膨出部７３ａと突起７５との接触面が切り替わってバネ板７２の撓みが開放され、膨出部７３ａの反対側の端面（図３７（Ａ）で左下端面）が突起部７５の傾斜面に当たって、保護カバー７０の開放角度を保持する（図３７（Ｃ）参照）。
【００９１】
このように本実施形態によれば、保護カバー７０が支軸７１により開閉自在に支持されるため、その開閉操作が簡単になる。また、保護カバー７０の開閉角度が係止爪７３で規制されるため、保護カバー７０を開けたまま片手でも容易にレール面の掃除を行うことができる。
さらに、保護カバー７０の開放角度を起立状態から９０゜未満の範囲に制限することで、保護カバー７０の閉め忘れにも対応することができる。すなわち、上記範囲では、保護カバー７０を開けたままガラス枠１４を締めても、そのガラス板で保護カバー７０が押され、バネ板７２のバネ効果により起立状態（図３７（Ａ））に戻る。この結果、遊技機のメンテナンスも安心して行える。
【００９２】
［他の発明３：遊技盤の脱着用把手］
前記実施形態では、前述したように、遊技盤１５を本体枠１３の前方からその遊技盤装着枠部９３に装着する。このような遊技機においては、その装着操作に伴って遊技盤１５と遊技盤装着枠部９３とを互いに係合しながら、遊技盤１５側の電気接点と本体枠１３側の電気接点とを一対のコネクタで接続している。
本発明では、このような構成を備えた遊技機において、遊技盤側のコネクタの抜き差しを容易にするため、前記遊技盤の背面にコネクタを設けるとともに、この遊技盤の正面側であって前記コネクタの概ね前方位置に取っ手を設ける構成とした。
【００９３】
このような構成によれば、遊技盤の脱着時に、取っ手を持って遊技盤を前後に動かすと、取っ手部分からコネクタに力がかかりやすい。このため、遊技機本体枠から遊技盤を脱着する際に遊技盤を安定して支持できるとともに、コネクタの抜き差しも容易に行える。
【００９４】
具体例を実施形態で示すと、図２に示すように、遊技機１０は、遊技盤１５の下端部に取っ手８０が設けられている。レールユニット２２の下端に凹み付け、この凹みを取っ手８０としている。
図３８に示すように、取っ手８０は、横板８１と縦板８２とを備えており、横板８１の正面下方に取っ手８０の凹みの一部を覆い隠す縦板８２が延びている。縦板８２の裏側には指を掛けるための空間が形成される。
【００９５】
図３０に示すように、遊技盤１５の背面には、集合樋６１上にコネクタ８４が設けられる。図３８に示すように、コネクタ８４には、例えば遊技盤前面の図柄表示装置３０等を制御する副制御装置のコネクタ接続配線の他端側コネクタ８５が接続される。
取っ手８０とコネクタ８４との位置関係は、コネクタ８４のベース板２１を挟んで概ね前方位置に取っ手部８０が設けられている。すなわち、取っ手８０を前後に動かしたときに、その力がコネクタ８４に作用しやすい位置関係にある。
【００９６】
本体枠１３から遊技盤１５を取り外す場合、取っ手８０に指を掛けて遊技盤１５を支えるとともに、取っ手８０を前方に引っ張ると、その力でコネクタ８４も前方に引っ張られる。これにより、図３９に示すように、コネクタ８５から遊技盤１５のコネクタ８４が簡単に外れる。また、本体枠１３に遊技盤１５を取り付ける場合には、取っ手８０に指を掛けて遊技盤１５を支えるとともに、取っ手８０を後方に押し込むと、コネクタ８４も後方に押されて副制御装置のコネクタ８５に容易に差し込むことができる。
【００９７】
［他の発明４：レールユニットの角取り］
前記実施形態の遊技機は、本体枠１３の開口部（遊技盤装着枠部９３）に、本体枠１３の前方から遊技盤１５を差し入れて遊技盤１５を装着する構成になっている。一方、前記実施形態の遊技機は、遊技盤１５のベース板２１にレールユニット２２の前面部を構成するコーナ飾りが一体的に設けられている。
このようにベース板にコーナ飾りが一体的に固定されると、コーナ飾りの厚みが邪魔になって本体枠の前方から遊技盤を差し入れて取り付ける作業が行いにくくなることがある。特に、遊技機のヒンジ側のコーナ飾りは、本体枠の枠面にぶつかりやすく、取り付け作業の障害となりやすい。
【００９８】
本発明の遊技機は、本体枠の開口部に、本体枠の前方から遊技盤を差し入れて遊技盤を装着する構成を備えた遊技機において、
前記遊技盤のベース板の前面部に取り付けられるコーナ飾りを有し、
前記コーナ飾りの側端部のうち、少なくとも前記遊技機のヒンジ側に向いた側端部に、後部から前部に向けて前記ベース板の側端から逃げるように内側に傾斜する角取り面を設ける構成とした。
【００９９】
このような構成によれば、コーナ飾りの側端部に角取り面が設けられるため、本体枠の開口部に遊技盤の側端を近づけても、コーナ飾りが本体枠の枠面にぶつかりにくくなる。これにより、コーナ飾りが邪魔になることなく、本体枠にスムーズに遊技盤を取り付けることができる。
【０１００】
具体例を実施形態で示すと、図２に示すように、遊技盤１５には、ベース板２１上にレールユニット２２が固定されており、その四隅部にコーナ飾りが一体的に形成されている。各コーナ飾りは、上下および左右で互いに連なっており、遊技領域Ｐの外側の盤面をほぼ全面覆っている。
遊技盤１５のヒンジ側のコーナ飾り９１，９１には、係止溝９２，９２が形成される。
【０１０１】
図４０に示すように、遊技盤１５を装着するための本体枠１３には、遊技盤装着枠部９３が設けられており、この遊技盤装着枠部９３は、そのヒンジ側に係止片９４，９４を有している。係止片９４，９４は、遊技盤１５の係止溝９２，９２に嵌って装着後の遊技盤１５を固定する。
【０１０２】
図４１および図４２に示すように、コーナ飾り９１の側端部には角取り面９５が形成される。角取り面９５は、後部から前部に向けてベース板２１の側端から逃げるように遊技盤１５の前方（正面側）に向けて内側に傾斜している。
【０１０３】
遊技盤装着枠部９３への遊技盤１５の挿入時には、図４３に示すように、遊技盤装着枠部９３の枠面に対して遊技盤１５が斜めに傾きやすいが、コーナ飾り９１は、角取り面９５によって遊技盤装着枠部９３から離れた位置に保たれる。このため、コーナ飾り９１に邪魔されることなく、本体枠１３に遊技盤１５を取り付けることができる。
【０１０４】
なお、本実施形態のように、遊技盤装着枠部９３の係止片９４にコーナ飾り９１の係止溝９２を嵌め合わせる場合には、係止片９４に向き合う係止溝９２の溝側面にも角取り面９７（図４２参照）を形成することが望ましい。
このように係止溝９２に溝内に角取り面９７を形成することで、遊技盤装着枠部９３への遊技盤１５の挿入時に、係止片９４と角取り面９７との間にも十分な距離が保たれ（図４３参照）、係止片９４に係止溝９２を嵌め合わせやすくなる。
【０１０５】
［他の発明５：レールユニットの圧入ピン収納構造］
前記実施形態のように複数の圧入ピンを有するレールユニットは、レールユニットを積み重ねると、圧入ピンが隣り合うレールユニットに当たり、ユニット間に隙間を形成するため、嵩張りやすく、運搬や保管等の取り扱いが不便である。
【０１０６】
本発明の遊技機は、複数の圧入ピンを有するレールユニットを備えた遊技機において、このレールユニットの圧入ピンと反対側のユニット面に、隣り合う他のレールユニットの圧入ピンを収納可能な収納穴を設ける構成とした。
【０１０７】
このような構成によれば、レールユニットを積み重ねる際に、重なり合ったレールユニットの収納穴に圧入ピンを収納することで、ユニット間に隙間が少なくなる。この結果、レールユニットをコンパクトに積み重ねることができ、運搬・保管等の取り扱いが便利になる。
なお、本発明は、圧入ピンだけでなく、レールユニット背面に突出するボスなどの他の突出部に適用してもよい。
【０１０８】
本実施形態では、外レールユニット２２Ａに本発明を適用している。図６に示すように、外レールユニット２２Ａの背面には、レール面に沿って４つの圧入ピン３２ａ〜３２ｄが設けられる。また、ユニット下部にはボスＢ１が突出している。
これらの４つの圧入ピン３２ａ〜３２ｄの反対側すなわちレールユニット２２Ａの前面側には、収納穴１００ａ〜１００ｄ（図４参照）が設けられる。また、ボスＢ１の反対側の位置には収納穴１０１が設けられている。収納穴１００ａ〜１００ｄおよび１０１は、圧入ピン３２ａ〜３２ｄおよびボスＢ１とほぼ同軸線上にある。
【０１０９】
外レールユニット２２Ａを複数重ねると、図４４に示すように、これらの圧入ピン３２ａ〜３２ｄとボスＢ１が隣り合う外レールユニット２２Ａの収納穴１００ａ〜１００ｄおよび１０１に嵌まる。この結果、外レールユニット２２Ａの間の隙間がなくなり、コンパクトな形態で外レールユニット２２Ａの運搬や保管等を行うことができる。
【０１１０】
［他の発明６：レールユニットのロック機構］
従来、複数に分割されたレールユニット（外レールユニット、中間レールユニットおよび内レールユニット）は、取り扱いが容易な分割状態で運搬、保管され、遊技盤（ベース板）にそれぞれ組み付けられる。しかし、隣り合うユニットを、球の滑走、転動に支障がないようそれらの弧状のレール面を正確に一致させながら遊技盤（ベース板）に組み付けるのは面倒な作業であった。
そこで、前記実施形態に示す本発明では、複数に分割されたレールユニット（外レールユニット２２Ａ、中間レールユニット２２Ｂおよび内レールユニット２２Ｃ）を組み合わせて遊技領域を区画する構成を備えた遊技機おいて、分割された前記レールユニットのうち、少なくとも２以上のユニット同士（中間レールユニット２２Ｂ、内レールユニット２２Ｃ）を回動可能に軸支する構成とした。
【０１１１】
このような構成によれば、遊技盤（ベース板）の前面にレールユニットを組み付ける前に、レールユニットを運搬、保管等する場合、回動可能に軸支されたユニット同士を閉じてコンパクトな形態に折り畳むことができ、運搬、保管等に面倒がない。一方、遊技盤（ベース板）にレールユニットを組み付けるときには、回動軸を中心にユニット同士を回動させれば、遊技領域を区画する形状になるようにレールユニットを直ぐに展開することができ、かつ隣り合うユニットの弧状のレール面を容易に一致させて組み付けることができる。
【０１１２】
前記発明において、回動可能に軸支されたレールユニットの運搬、保管等の際には、ユニット同士を閉じた状態に保ってもガタ付きやグラ付きが生じることがある。また、レールユニットを遊技盤（ベース板）に組み付ける場合には、レールユニットを展開しつつ、これらのレール面（図３参照）を展開方向で容易に位置決めできればなおよい。
【０１１３】
そこで、本発明の遊技機を、当該２以上に分割された前記レールユニットを軸支する構成とした上で、前記レールユニットには互いにスライドしながら重なり合う重合部を形成し、これらの重合部に、回動軸を中心に前記レールユニットを閉じたときと、前記レールユニットのレール面が一致したときとにそれぞれ嵌合し合うロック爪およびロック穴を設ける構成とする。
【０１１４】
このような構成によれば、回転軸で軸支されたユニット同士を閉じる場合には、その重合部をスライドさせて、予め閉じ位置に設けたロック爪とロック穴とを嵌め合わせる。すると、ユニット同士が閉じたままロックされ、運搬等の取り扱いが容易になる。
また、レールユニットを展開する場合には、展開位置に設けたロック爪とロック穴とを嵌め合わせると、展開方向においても簡単かつ正確にユニット同士のレール面を一致させることができる。
【０１１５】
具体例を実施形態で示すと、遊技機１０のレールユニット２２は、外レールユニット２２Ａ、中間レールユニット２２Ｂ、および内レールユニット２２Ｃに分割されている。これらのユニットのうち、図４５に示すように、中間レールユニット２２Ｂと内レールユニット２２Ｃが連結ネジ２６（回転軸）で回動可能に軸支されている。中間レールユニット２２Ｂおよび内レールユニット２２Ｃには、連結ネジ２６のボス１１０、１１１が形成され、これらのボス１１０、１１１が互いに重なり合っている。
図４５に示すように、中間レールユニット２２Ｂのボス１１０にはロック穴Ｍ１、Ｍ２が開口している。一方、内レールユニット２２Ｃのボス１１１にはロック穴Ｍ１およびＭ２に嵌合可能なロック爪１１２が図４５で下向きに突出している。これらのロック穴Ｍ１、Ｍ２およびロック爪１１２は、連結ネジ２６の中心に対して同心円上にある。
【０１１６】
中間レールユニット２２Ｂと内レールユニット２２Ｃとを閉じる場合、ボス１１０とボス１１１とをスライドさせ、図４６に示すように、ロック穴Ｍ２にロック爪１１２が嵌るようにする。このとき、図４７に示すように、連結ネジ２６を中心として中間レールユニット２２Ｂと内レールユニット２２Ｃとが折り畳まれ、これらの運搬や保管に便利な形態になる。
【０１１７】
一方、図４６に示す状態から、連結ネジ２６の周りに内レールユニット２２Ｃを反時計回りに回動させると、重合部１１０，１１１がスライドし、図４５に示すように、ロック穴Ｍ１にロック爪１１２が嵌まる。同時に、中間レールユニット２２Ｂと内レールユニット２２Ｃのレール面が一致することになる。
【０１１８】
本実施形態では、図４８および図４９に示すように、中間レールユニット２２Ｂと内レールユニット２２Ｃの連結ネジ２６から離れた位置に重合片１１４，１１５を設け、これらの接触面にロック穴Ｍ３とロック爪１１６とをそれぞれ形成している。
例えば図４９の状態から、中間レールユニット２２Ｂと内レールユニット２２Ｃとを展開してレール軌道を形成する場合、連結ネジ２６の周りに内レールユニット２２Ｃを反時計回りに回動させると、重合片１１４，１１５がスライドし、ロック穴Ｍ３にロック爪１１６が嵌まって中間レールユニット２２Ｂと内レールユニット２２Ｃのレール面が一致し、図４８に示す状態となる。
このように中間レールユニット２２Ｂおよび内レールユニット２２Ｃにロック穴Ｍ１，Ｍ２，Ｍ３とロック爪１１２，１１６を採用することで、レールユニットの運搬、収納等の取り扱いが容易になり、かつ、レールユニットの展開時のレール面の位置合わせを簡単かつ正確に行うことができる。
【符号の説明】
【０１１９】
１０ … 遊技機
１５ … 遊技盤
１５ａ … 外レール
１５ｂ … 内レール
２１ … ベース板
２２ … レールユニット（プラスチック成形品）
３１ａ … ボス
１２０ … 除電金具
１２８ … 舌板
Ｈ１，Ｈ２ … ネジ穴
Ｌ … セル画シート
Ｌ３ … 金属層
Ｎ … 固定ネジ（スクリューネジ）
Ｎ１ … ネジ溝
Ｐ … 遊技領域
【手続補正２】
【補正対象書類名】特許請求の範囲
【補正対象項目名】全文
【補正方法】変更
【補正の内容】
【特許請求の範囲】
【請求項１】
ベース板の表面に導電性の金属層を有するセル画シートを設けると共に該セル画シートの表面を外レールと内レールで囲って遊技領域を形成した遊技盤と、
金属製の固定ネジを挿通するボスを一体に備え、該ボスに通した前記固定ネジで遊技盤の隅部に固定されるプラスチック成形品と、
前記ボスと遊技盤の間に配置されると共に前記固定ネジを挿通可能なネジ穴を有し、さらに別途形成したアース配線に電気的に接続される導電性の除電金具と、を備え、
前記除電金具の前記ネジ穴は、前記固定ネジのネジ山径よりも大きなネジ穴径を有し且つ穴縁から直径方向に向けて前記固定ネジのネジ溝面に弾性変形しつつ接触する舌板を複数等間隔に突設したものであり、
前記固定ネジを遊技盤に締め付けることにより前記ボスを介して前記プラスチック成形品を遊技盤に固定すると共に該固定ネジのネジ溝面に前記舌板を接触させて前記セル画シートの前記金属層と前記除電金具を前記固定ネジを介して電気的に導通させるようにしたことを特徴とする遊技機。